(57)【要約】  無線デバイス（１４）は、サービングセル（１８Ｂ）をアクティブ化するように無線デバイス（１４）に命令するアクティブ化コマンド（１６）を受信するように構成されている。無線デバイス（１４）は、アクティブ化コマンド（１６）を受信してから最大遅延（２０）内にサービングセル（１８Ｂ）をアクティブ化するように構成されている。最大遅延（２０）は、サービングセル（１８Ｂ）がアクティブ化されることになる周波数バンド（２４）と同じ周波数バンド（２４）内に無線デバイス（１４）に対して既にアクティブ化されている少なくとも１つの他のサービングセル（１８Ａ）が存在しているか否かに依存する。【選択図】図１
2021534605.tif 000002
【特許請求の範囲】
【請求項１】
無線デバイス（１４）によって実行される方法であって、
サービングセル（１８Ｂ）をアクティブ化するように前記無線デバイス（１４）に命令するアクティブ化コマンド（１６）を受信すること（２００）と、
前記アクティブ化コマンド（１６）を受信してから最大遅延（２０）内に前記サービングセル（１８Ｂ）をアクティブ化すること（２１０）であって、前記最大遅延（２０）は、前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しているか否かに依存する、前記アクティブ化すること（２１０）と、
を含む、方法。
【請求項２】
前記アクティブ化コマンド（１６）を受信した後、
前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しているか否かを決定すること（２０２）と、
前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しているか否かに基づいて、前記サービングセル（１８Ｂ）をアクティブ化するための複数の異なるアクティブ化手順のうちの１つを選択すること（２０４）であって、前記複数の異なるアクティブ化手順のうちの少なくともいくつかはセルのアクティブ化に異なる遅延を生じさせる、前記選択すること（２０４）と、
をさらに含む
請求項１に記載の方法。
【請求項３】
前記選択することは、前記無線デバイス（１４）が、前記サービングセル（１８Ｂ）および前記サービングセル（１８Ｂ）がアクティブ化されることになる周波数バンド（２４）と同じ周波数バンド（２４）内に前記無線デバイス（１４）に対してアクティブ化されている他のサービングセル（１８Ａ）から同時に受信するために、同じ受信ビームを使用しなければならないか否かにさらに基づいている
請求項２に記載の方法。
【請求項４】
前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しており、前記選択することは、アクティブ化されることになる前記サービングセル（１８Ｂ）から受信する受信ビームを決定するための受信ビーム掃引を実施することを前記無線デバイス（１４）が控えるアクティブ化手順を選択することを含む
請求項２または３に記載の方法。
【請求項５】
前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しており、前記アクティブ化することは、アクティブ化されることになる前記サービングセル（１８Ｂ）から受信する受信ビームを決定するための受信ビーム掃引を実施することを控えることを含む
請求項１乃至４の何れか１項に記載の方法。
【請求項６】
前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しており、前記方法は、前記アクティブ化することの後、前記無線デバイス（１４）において同じアンテナアレイおよび／または受信ビームを使用して、前記サービングセル（１８Ｂ）および前記少なくとも１つの他のサービングセル（１８Ａ）からの信号を同時に受信すること（２２０）をさらに含む
請求項１乃至５の何れか１項に記載の方法。
【請求項７】
前記サービングセル（１８Ｂ）および前記同じ周波数バンド（２４）内の任意のサービングセルからの信号を同時に受信するために、前記無線デバイス（１４）は、前記無線デバイス（１４）において同じアンテナアレイおよび／または受信ビームを使用するように制限されている
請求項１乃至６の何れか１項に記載の方法。
【請求項８】
前記最大遅延（２０）は、アクティブ化されることになる前記サービングセル（１８Ｂ）に相対するバンド内コンポーネントキャリア上に少なくとも１つの他のアクティブ化されたサービングセルが既に存在するか否かに依存する
請求項１乃至７の何れか１項に記載の方法。
【請求項９】
前記最大遅延（２０）は、前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在するか否かに応じて、相対的に短いかまたは長い
請求項１乃至８の何れか１項に記載の方法。
【請求項１０】
前記同じ周波数バンド（２４）は、
ニューラジオ（ＮＲ）周波数範囲に含まれる複数のＮＲ運用バンドのうちの１つ、
前記複数のＮＲ運用バンドのうちの１つのサブバンド、または、
複数のバンド内連続キャリアアグリゲーション運用バンドのうちの１つ
を含む
請求項１乃至９の何れか１項に記載の方法。
【請求項１１】
前記最大遅延（２０）は、また、アクティブ化されることになる前記サービングセル（１８Ｂ）が前記無線デバイス（１４）に既知であるか未知であるかに依存する
請求項１乃至１０の何れか１項に記載の方法。
【請求項１２】
前記無線デバイス（１４）は、アンテナアレイを含み、該アンテナアレイ内の複数のアンテナ要素のグループごとに１つの受信チェーンを含み、前記方法は、アナログビームフォーミングおよび／またはハイブリッドビームフォーミングを実行することをさらに含む
請求項１乃至１１の何れか１項に記載の方法。
【請求項１３】
前記サービングセル（１８Ｂ）をアクティブ化した後に、
前記サービングセル（１８Ｂ）に対する同期信号ブロックを受信すること、
前記サービングセル（１８Ｂ）に対する自動利得制御または利得設定を実行すること、
前記サービングセル（１８Ｂ）に対して使用する送信ビームを検出すること、
前記サービングセル（１８Ｂ）に対してチャネル状態情報の測定および／または報告を実行すること、
前記サービングセル（１８Ｂ）に対してサウンディング参照信号を送信すること、
前記サービングセル（１８Ｂ）上または前記サービングセル（１８Ｂ）に対する制御チャネルを監視すること、
前記サービングセル（１８Ｂ）に対するサービングセル非アクティブ化タイマを開始すること、
前記サービングセル（１８Ｂ）に対するパワーヘッドルーム報告をトリガすること、のうちの１つ以上をさらに含む
請求項１乃至１２の何れか１項に記載の方法。
【請求項１４】
前記サービングセル（１８Ｂ）は、セカンダリセル（ＳＣｅｌｌ）であり、前記少なくとも１つの他のサービングセル（１８Ａ）は、プライマリセル（ＰＣｅｌｌ）、プライマリセカンダリセル（ＰＳＣｅｌｌ）、または、セカンダリセル（ＳＣｅｌｌ）である
請求項１乃至１３の何れか１項に記載の方法。
【請求項１５】
無線デバイス（１４）であって、
サービングセル（１８Ｂ）をアクティブ化するように前記無線デバイス（１４）に命令するアクティブ化コマンド（１６）を受信し、
前記アクティブ化コマンド（１６）を受信してから最大遅延（２０）内に前記サービングセル（１８Ｂ）をアクティブ化し、前記最大遅延（２０）は、前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しているか否かに依存する
ように構成された、無線デバイス。
【請求項１６】
請求項２乃至１４の何れか１項に記載の方法を実行するように構成された、請求項１５に記載の無線デバイス。
【請求項１７】
無線デバイス（１４）の少なくとも１つのプロセッサにより実行されたとき、該無線デバイス（１４）に請求項１乃至１４の何れか１項に記載の方法を実行させる命令を含む、コンピュータプログラム。
【請求項１８】
請求項１７に記載のコンピュータプログラムを含むキャリアであって、該キャリアは、電気信号、光信号、無線信号、またはコンピュータ可読記憶媒体のうちの１つである、キャリア。
【請求項１９】
無線デバイス（１４、５００）であって、
通信回路（５２０）と、
処理回路（５１０）であって、
サービングセル（１８Ｂ）をアクティブ化するように前記無線デバイス（１４）に命令するアクティブ化コマンド（１６）を受信し、
前記アクティブ化コマンド（１６）を受信してから最大遅延（２０）内に前記サービングセル（１８Ｂ）をアクティブ化し、前記最大遅延（２０）は、前記サービングセル（１８Ｂ）がアクティブ化されることになる周波数バンド（２４）と同じ周波数バンド（２４）内に前記無線デバイス（１４）に対して既にアクティブ化されている少なくとも１つの他のサービングセル（１８Ａ）が存在しているか否かに依存する、
ように構成された、前記処理回路（５１０）と、
を含む、無線デバイス。
【請求項２０】
前記処理回路は、請求項２乃至１４の何れか１項に記載の方法を実行するように構成される、請求項１９に記載の無線デバイス。
【発明の詳細な説明】
【技術分野】
【０００１】
本願は、一般に無線通信システムに関するものであり、特にそのようなシステムにおけるサービングセルのアクティブ化に関するものである。
【背景技術】
【０００２】
無線デバイスは、マルチキャリア動作を利用して、複数のサービングセル上でデータを同時に送信および／または受信する。マルチキャリア動作には、例えば、キャリアアグリゲーション（ＣＡ）およびＣＡの特別な場合としてデュアルコネクティビティ（ＤＣ）を含む。これらおよび他のタイプのマルチキャリア動作は、有利には、スループットを増加させ、モビリティロバスト性を提供しおよび／または負荷分散をサポートする。
【０００３】
しかしながら、マルチキャリア動作は、無線デバイスが異なる空間方向で受信するためにビームフォーミングを使用する場合、複雑であることが判明する。例えば、無線デバイスが新しいサービングセルをアクティブ化するとき、デバイスは、その新しいサービングセルからの送信を受信するための最適な受信ビームを見つけるために、受信ビーム掃引を実行することによって、その新しいサービングセルの性能を最大化することができる。しかし、この受信ビーム掃引は、デバイスが新しいサービングセルをアクティブ化するのに要する時間を、望ましくないほど長くするおそれがある。そして、このアクティブ化遅延の延長は、待機時間を増加させることになる。
【発明の概要】
【０００４】
本明細書のいくつかの実施形態によれば、無線デバイスは、該デバイスに対して既にアクティブ化されている少なくとも１つの他のサービングセルが（例えば、同じ周波数バンド内に）存在しているか否かに依存する最大遅延内にサービングセルをアクティブ化する。例えば、既にアクティブ化されている少なくとも１つの他のサービングセルが存在する場合、前記無線デバイスは、既にアクティブ化されている少なくとも１つの他のサービングセルが存在しない場合よりも短い最大遅延内で前記サービングセルをアクティブ化し得る。
【０００５】
いくつかの実施形態では、この場合の最大遅延を短縮するのは、新しいサービングセルをアクティブ化するのに必要な時間を短縮するために、既にアクティブ化されている少なくとも１つの他のサービングセルが存在する場合に時間のかかる受信ビーム掃引をデバイスが行わなくて済むからである。実際、状況によっては、受信ビーム掃引が既にアクティブ化されているサービングセルの性能を危険にさらす可能性がある。例えば、（例えば、アンテナ要素が多くデジタルビームフォーミングが実用的でないニューラジオ（ＮＲ）デバイスの場合のように）無線デバイスがアナログビームフォーミングしか使用できない場合、デバイスは同じ周波数バンドのセルに同じ受信ビームを使用しなければならない。これは、既存のサービングセルの性能を損なうことなく、受信ビーム掃引によって新しいサービングセルにとってより有利な受信ビームに切り替えることができないことを意味する。特にこのような状況では、次に、いくつかの実施形態では、受信ビーム切り替えを見送ることにより、既にアクティブ化されているサービングセルの性能を優先し、それによりサービングセルのアクティブ化が促進される。
【０００６】
より具体的には、本明細書の実施形態は、無線デバイスによって実行される方法を含む。方法は、サービングセルをアクティブ化するように前記無線デバイスに命令するアクティブ化コマンドを受信することを含む。方法は、また、前記アクティブ化コマンドを受信してから最大遅延内に前記サービングセルをアクティブ化することを含む。いくつかの実施形態では、前記最大遅延は、前記サービングセルがアクティブ化されることになる周波数バンドと同じ周波数バンド内に前記無線デバイスに対して既にアクティブ化されている少なくとも１つの他のサービングセルが存在しているか否かに依存する。
【０００７】
いくつかの実施形態では、方法は、アクティブ化コマンドを受信した後、前記サービングセルがアクティブ化されることになる周波数バンドと同じ周波数バンド内に前記無線デバイスに対して既にアクティブ化されている少なくとも１つの他のサービングセルが存在しているか否かを決定することをさらに含む。方法は、また、前記サービングセルがアクティブ化されることになる周波数バンドと同じ周波数バンド内に前記無線デバイスに対して既にアクティブ化されている少なくとも１つの他のサービングセルが存在しているか否かに基づいて、前記サービングセルをアクティブ化するための複数の異なるアクティブ化手順のうちの１つを選択することを含んでもよい。前記複数の異なるアクティブ化手順のうちの少なくともいくつかはセルのアクティブ化に異なる遅延を生じさせる。一実施形態では、例えば、前記選択することは、前記無線デバイスが、前記サービングセルおよび前記サービングセルがアクティブ化されることになる周波数バンドと同じ周波数バンド内に前記無線デバイスに対してアクティブ化されている他のサービングセルから同時に受信するために、同じ受信ビームを使用しなければならないか否かにさらに基づいている。代替的または追加的に、前記複数のアクティブ化手順のうちの少なくとも１つにおいて、前記無線デバイスは、アクティブ化されることになる前記サービングセルから受信する受信ビームを決定するための受信ビーム掃引を実施することを控える。
【０００８】
いくつかの実施形態では、前記サービングセルがアクティブ化されることになる周波数バンドと同じ周波数バンド内に前記無線デバイスに対して既にアクティブ化されている少なくとも１つの他のサービングセルが存在し、前記サービングセルをアクティブ化することは、アクティブ化されることになる前記サービングセルから受信する受信ビームを決定するための受信ビーム掃引を実施することを控えることを含み得る。
【０００９】
いくつかの実施形態では、方法は、前記アクティブ化することの後、前記無線デバイスにおいて同じアンテナアレイおよび／または受信ビームを使用して、前記サービングセルおよび前記少なくとも１つの他のサービングセルからの信号を同時に受信することをさらに含み得る。これは、例えば、前記サービングセルがアクティブ化されることになる周波数バンドと同じ周波数バンド内に前記無線デバイスに対して既にアクティブ化されている少なくとも１つの他のサービングセルが存在する場合であり得る。
【００１０】
いくつかの実施形態では、前記サービングセルおよび前記同じ周波数バンド内の任意のサービングセルからの信号を同時に受信するために、前記無線デバイスは、前記無線デバイスにおいて同じアンテナアレイおよび／または受信ビームを使用するように制限されている。
【００１１】
いくつかの実施形態では、前記最大遅延は、アクティブ化されることになる前記サービングセルに相対するバンド内コンポーネントキャリア上に少なくとも１つの他のアクティブ化されたサービングセルが既に存在するか否かに依存する。
【００１２】
いくつかの実施形態では、前記最大遅延は、前記サービングセルがアクティブ化されることになる周波数バンドと同じ周波数バンド内に前記無線デバイスに対して既にアクティブ化されている少なくとも１つの他のサービングセルが存在するか否かに応じて、相対的に短いかまたは長い。
【００１３】
いくつかの実施形態では、前記同じ周波数バンドは、（ｉ）ニューラジオ（ＮＲ）周波数範囲に含まれる複数のＮＲ運用バンドのうちの１つ、（ｉｉ）前記複数のＮＲ運用バンドのうちの１つのサブバンド、または、（ｉｉｉ）複数のバンド内連続キャリアアグリゲーション運用バンドのうちの１つ、を含む
【００１４】
いくつかの実施形態では、前記最大遅延は、また、アクティブ化されることになる前記サービングセルが前記無線デバイス（１４）に既知であるか未知であるかに依存する。
【００１５】
いくつかの実施形態では、方法は、前記サービングセルをアクティブ化した後に、前記サービングセルに対する同期信号ブロックを受信すること、前記サービングセルに対する自動利得制御または利得設定を実行すること、前記サービングセルに対して使用する送信ビームを検出すること、前記サービングセルに対してチャネル状態情報の測定および／または報告を実行すること、前記サービングセルに対してサウンディング参照信号を送信すること、前記サービングセル上または前記サービングセル（１８Ｂ）に対する制御チャネルを監視すること、前記サービングセルに対するサービングセル非アクティブ化タイマを開始すること、前記サービングセルに対するパワーヘッドルーム報告をトリガすること、のうちの１つ以上を含む。
【００１６】
いくつかの実施形態では、前記サービングセルは、セカンダリセル（ＳＣｅｌｌ）であり、前記少なくとも１つの他のサービングセルは、プライマリセル（ＰＣｅｌｌ）、プライマリセカンダリセル（ＰＳＣｅｌｌ）、または、セカンダリセル（ＳＣｅｌｌ）である。
【００１７】
本明細書の実施形態はまた、対応する装置、コンピュータプログラム、およびキャリアを含む。例えば、本明細書の実施形態は、無線デバイスを含む。無線デバイスは、サービングセルをアクティブ化するように無線デバイスに命令するアクティブ化コマンドを受信するように（例えば、通信回路および処理回路を介して）構成される。無線デバイスは、アクティブ化コマンドを受信してから最大遅延内でサービングセルをアクティブ化するように構成される。最大遅延時間は、サービングセルがアクティブ化される周波数バンドと同じ周波数バンドで、無線デバイスのためにすでにアクティブ化されているサービングセルが少なくとも１つあるかどうかに依存する。
【図面の簡単な説明】
【００１８】
【図１】いくつかの実施形態に従った無線通信システムのブロック図である。
【図２】いくつかの実施形態に従った無線デバイスによって実行される方法の論理フロー図である。
【図３】他の実施形態に従った無線デバイスによって実行される方法の論理フロー図である。
【図４】さらに他の実施形態に従った無線デバイスによって実行される方法の論理フロー図である。
【図５】いくつかの実施形態に従った無線デバイスのブロック図である。
【図６】他の実施形態に従った無線デバイスのブロック図である。
【図７】いくつかの実施形態に従った無線デバイスの受信ビームおよび無線ネットワークノードの送信ビームのブロック図である。
【図８Ａ】いくつかの実施形態に従った同期信号ブロック（ＳＳＢ）のブロック図である。
【図８Ｂ】いくつかの実施形態に従った複数のＳＳＢを含むハーフフレームのブロック図である。
【図８Ｃ】いくつかの実施形態に従ったＳＭＴＣサイクルのブロック図である。
【図９Ａ】ＮＲがＦＲ２内で動作するように設計されている運用バンドを定義するテーブルである。
【図９Ｂ】ＮＲバンド内連続キャリアアグリゲーションが動作するように設計されている運用バンドを示すテーブルである。
【図９Ｃ】ＮＲバンド間キャリアアグリゲーションが動作するように設計されている運用バンドを示すテーブルである。
【図１０】いくつかの実施形態に従った無線デバイスによって実行される方法の論理フロー図である。
【図１１】いくつかの実施形態に従った無線通信ネットワークのブロック図である。
【図１２】いくつかの実施形態に従ったユーザ装置のブロック図である。
【図１３】いくつかの実施形態に従った仮想化環境のブロック図である。
【図１４】いくつかの実施形態に従ったホストコンピュータを有する通信ネットワークのブロック図である。
【図１５】いくつかの実施形態に従ったホストコンピュータのブロック図である。
【図１６】ある実施形態に従った通信システムに実装される方法を示すフローチャートである。
【図１７】ある実施形態に従った通信システムに実装される方法を示すフローチャートである。
【図１８】ある実施形態に従った通信システムに実装される方法を示すフローチャートである。
【図１９】ある実施形態に従った通信システムに実装される方法を示すフローチャートである。
【発明を実施するための形態】
【００１９】
図１は、いくつかの実施形態に従った無線通信システム１０（例えば、ニューラジオ（ＮＲ）システム）を示す。システム１０は、無線アクセスネットワーク（ＲＡＮ）１０Ａおよびコアネットワーク（ＣＮ）１０Ｂを含む。無線デバイス１４は、ＲＡＮ１０Ａを介してＣＮ１０Ｂに接続するために、ＲＡＮ１０Ａと（例えば、１つ以上の無線ネットワークノード１２を介して）無線通信する。ＣＮ１０Ｂは、次に、無線デバイス１４をインターネットなどの１つ以上のデータネットワーク（図示せず）に接続する。
【００２０】
いくつかの実施形態では、無線デバイス１４は、受信ビームフォーミングを行うことができる。例えば、示されているように、無線デバイス１４は、異なる空間方向で受信する複数の受信ビーム１４ａ、１４ｂ、１４ｃを実現するために制御可能な複数のアンテナ要素を有する少なくとも１つのアンテナアレイ２６を備える。いくつかの実施形態では、無線デバイス１４は、どの受信ビーム上で（すなわち、どの空間方向で）受信するかを決定するために、いわゆる受信ビーム掃引を実行することができる。このような掃引は、例えば、候補となる複数の受信ビームのそれぞれについて測定を実行し、測定が受信ビームが最良の性能を提供することを示唆する受信ビームを選択することを含み得る。しかしながら、１つ以上の実施形態では、例えば、無線デバイス１４が多数のアンテナ要素を有するＮＲデバイスである場合、および／または複数のアンテナ要素のグループごとに１つの受信チェーンを有する場合、無線デバイス１４は、アナログ受信ビームフォーミング（または、アナログビームフォーミングで補完される任意のデジタルビームフォーミングを必要とするハイブリッドビームフォーミング）のみを実行することができる。
【００２１】
代替的または追加的に、いくつかの実施形態では、無線デバイス１４は、無線デバイス１４が複数のサービングセル上でデータを同時に送信および／または受信するマルチキャリア動作が可能である。無線デバイス１４は、例えば、キャリアアグリゲーション（ＣＡ）および／またはデュアルコネクティビティ（ＤＣ）のようなマルチコネクティビティの形態でのマルチキャリア動作が可能であってもよい。それにかかわらず、無線デバイス１４がアナログビームフォーミングおよび／またはハイブリッドビームフォーミングのみが可能である場合のようないくつかの実施形態では、無線デバイス１４が同じアンテナアレイおよび／または受信ビームを使用してそれを行う場合、無線デバイス１４は、注目すべきことに、同じ周波数バンド内の複数のサービングセルからの信号を同時に受信することしかできない。すなわち、同じ周波数バンド内の複数のサービングセルからの信号を同時に受信するために、無線デバイス１４は、無線デバイス１４において同じアンテナアレイおよび／または受信ビームを使用するよう制限され得る。
【００２２】
これらおよび他の文脈において、システム１０内のサービングセルは、それぞれ、無線デバイス１４に関して、いわゆるアクティブ化状態または非アクティブ化状態を有してもよい。この点での複数のサービングセルは、個々のサービングセルごとにアクティブ化および非アクティブ化され得る。無線デバイス１４に関してサービングセルがアクティブ化されるかまたは非アクティブ化されるかは、例えば、ＲＡＮ１０Ａによって制御されてもよく、すなわち、ＲＡＮ１０Ａは、無線デバイス１４に対して、任意の所定のサービングセルをいつアクティブ化するかまたは非アクティブ化するかを指示する。サービングセルがアクティブ化されると、無線デバイス１４は、サービングセル上でサウンディング参照信号（ＳＲＳ）を送信し、サービングセルのためにチャネル状態情報（ＣＳＩ）の測定および／または報告を実行し、および／またはサービングセル上またはサービングセルのために制御チャネルを監視してもよい。代替的または追加的に、無線デバイス１４は、アクティブ化されたサービングセルのための同期信号ブロックを受信してもよく、アクティブ化されたサービングセルのための自動利得制御または利得設定を実行してもよく、アクティブ化されたサービングセルのために使用する送信ビームを検出してもよく、アクティブ化されたサービングセルのためのサービングセル非アクティブ化タイマを開始してもよく、アクティブ化されたサービングセルのためのパワーヘッドルーム報告をトリガしてもよい。逆に、無線デバイス１４は、非アクティブ化されたサービングセルに対して、そのような動作または機能を控えてもよい。
【００２３】
いくつかの実施形態では、サービングセルは、半静的ベース（例えば、無線リソース制御（ＲＲＣ）を使用して）で構成されてもよいが、より動的ベース（例えば、媒体アクセス制御（ＭＡＣ）、制御要素（ＣＥ）を介して）でアクティブ化または非アクティブ化されてもよい。そのような動的なアクティブ化または非アクティブ化は、セル負荷、チャネル条件、エンドユーザのスループット要件などに基づいてもよい。
【００２４】
いずれのイベントにおいても、示されるように、無線デバイス１４は、サービングセル１８Ｂ（例えばマルチキャリア動作中のセカンダリセル（ＳＣｅｌｌ））をアクティブ化するように無線デバイス１４に命令するアクティブ化コマンド１６を受信する。アクティブ化コマンド１６は、例えば、ダウンリンク制御情報（ＤＣＩ）メッセージ、ＭＡＣ＿ＣＥなどの動的シグナリングを介して伝達されてもよい。
【００２５】
それにかかわらず、サービングセル１８Ｂは、周波数バンド２４内でアクティブ化されることになる。この点での周波数バンド２４は、サービングセル１８Ｂによって使用される無線アクセス技術（ＲＡＴ）が動作を許可される周波数範囲（例えば、ＮＲが動作を許可されるＦＲ１またはＦＲ２）であってもよい。周波数バンド２４は、代替的に、そのような周波数範囲における複数の可能な運用バンドのうちの１つ（例えば、ＦＲ２における「ｎ２５７」、「ｎ２５８」、「ｎ２６０」、「ｎ２６１」のうちの１つまたは複数など）を指すことができる。ここで、複数の可能な運用バンドは、サービングセル１８Ｂが周波数範囲内で動作することが許容される運用バンドを構成する。また他の実施形態では、周波数バンド２４は、そのような運用バンドのサブバンドであってもよい（例えば、「ＣＡ＿ｎ２５７Ｂ」、「ＣＡ＿ｎ２５７Ｄ」、「ＣＡ＿２５７（２Ａ）」、「ＣＡ＿２５７（３Ａ）」など）。さらに他の実施形態では、周波数範囲は、複数の可能なバンド内連続キャリアアグリゲーション運用バンド、デバイスのアーキテクチャから推論される周波数範囲、または報告されたデバイスの無線周波数（ＲＦ）能力から推論される周波数範囲のうちの１つであってもよい。
【００２６】
アクティブ化コマンド１６を受信した後、無線デバイス１４は、アクティブ化コマンド１６を受信してから最大遅延２０内にサービングセル１８Ｂをアクティブ化しなければならない。これは、例えば、無線デバイス１４が最大遅延２０内にアクティブ化手順２２を完了しなければならないことを意味し得る。また、最大遅延２０は、Ｔactivation_timeと呼ばれ得、Ｔactivation_timeの関数である遅延と呼ばれ得る。
【００２７】
いくつかの実施形態によれば、最大遅延２０（またはより具体的には、最大遅延の継続時間または長さ）は、サービングセル１８Ｂがアクティブ化されることになるのと同じ周波数バンド２４において、無線デバイス１４に対して既にアクティブ化されている少なくとも１つの他のサービングセル１８Ａ（例えば、ＰＣｅｌｌ、ＰＳＣｅｌｌ、またはＳＣｅｌｌ）が存在するか否かに顕著に依存する。例示的な図１は、このような場合（すなわち、サービングセル１８Ａが同じ周波数バンド２４で既にアクティブ化されている場合）を示している。いくつかの実施形態によれば、同じ周波数バンド２４で無線デバイス１４に対して少なくとも１つの他のサービングセル１８Ａが既にアクティブ化されている場合、最大遅延２０は、同じ周波数バンド２４で無線デバイス１４に対して少なくとも１つの他のサービングセル１８Ａが既にアクティブ化されている場合ではない場合よりも低い値を有する。すなわち、最大遅延２０は、サービングセル１８Ｂがアクティブ化されることになる周波数バンドと同じ周波数バンド２４において、無線デバイス１４のために少なくとも１つの他のサービングセル１８Ａが既にアクティブ化されているか否かに応じて、それぞれ相対的に短くなるかまたは長くなる。最大遅延２０を短縮することは、有利には、無線デバイス１４がサービングセル１８Ｂをアクティブ化する時間を迅速化し、それによって待機時間を減少させる。
【００２８】
最大遅延２０が、サービングセル１８Ｂがアクティブ化されることになる周波数バンド２４と同じ周波数バンド２４において無線デバイス１４に対して既にアクティブ化された少なくとも１つの他のサービングセル１８Ａが存在するかどうかに依存している状態で、無線デバイス１４がセルをアクティブ化するために実行するアクティブ化手順２２は、それに対応して、同じ周波数バンド２４において既にアクティブ化された少なくとも１つの他のサービングセル１８Ａが存在するかどうかに依存していてもよい。いくつかの実施形態では、例えば、アクティブ化コマンド１６を受信した後、無線デバイス１４は、サービングセル１８Ｂがアクティブ化されることになる周波数バンドと同じ周波数バンド２４において、無線デバイス１４に対して既にアクティブ化されている少なくとも１つの他のサービングセル１８Ａが存在するかどうかを決定する。次に、無線デバイス１４は、その決定に基づいて、サービングセル１８Ｂをアクティブ化するための複数の異なるアクティブ化手順のうちの１つを選択する。これらの手順の少なくともいくつかは、セルのアクティブ化に異なる遅延を生じさせてもよい。それに応じて、無線デバイス１４は、同じ周波数バンド２４内に無線デバイス１４のために既にアクティブ化された少なくとも１つの他のサービングセル１８Ａが存在するかどうかを考慮して許容される最大遅延２０以下の遅延を生じるアクティブ化手順のうちの１つを選択してもよい。このようにして、無線デバイス１４は、最大遅延２０が短縮されても、許容される最大遅延２０内でサービングセル１８Ｂをアクティブ化してもよい。
【００２９】
いくつかの実施形態では最大遅延２０を短縮し、それによって、同じ周波数バンド２４内に少なくとも１つの他のサービングセルが既にアクティブ化されている場合に、無線デバイス１４が受信ビーム掃引を実施することを見送ることに基づいて、新しいサービングセル１８Ｂをアクティブ化するための時間を短縮する。すなわち、いくつかの実施形態によれば、無線デバイス１４が、アクティブ化されることになる新しいサービングセル１８Ｂから受信する最適な受信ビームを決定するために受信ビーム掃引を実行することができるにもかかわらず、無線デバイス１４は、同じ周波数バンド２４で既にアクティブ化されている少なくとも１つの他のサービングセル１８Ａが存在する場合には、そのような受信ビーム掃引の実行を控えるようになっている。したがって、無線デバイス１４がサービングセル１８Ｂをアクティブ化するための複数の異なるアクティブ化手順の中から選択する実施形態では、無線デバイス１４は、サービングセル１８Ｂから受信すべき受信ビームを決定するために、無線デバイス１４が受信ビーム掃引を行うことを控えるアクティブ化手順を選択する。
【００３０】
このような受信ビーム掃引を見送ることは、無線デバイス１４がサービングセル１８Ｂをアクティブ化する際の時間を節約する。さらに、いくつかの実施形態では、受信ビーム掃引を省略することにより、既にアクティブ化されたサービングセル１８Ａの性能を危うくすることを回避することができる。これは、例えば、無線デバイス１４がアナログビームフォーミングおよび／またはハイブリッドビームフォーミングしかできないような実施形態、および／または、そうでなければ、同じ周波数バンドで同時に複数のサービングセルからの信号を受信するために同じアンテナアレイおよび／または受信ビームを使用する必要があるような実施形態の場合である。実際、このことは、デバイス１４が、既存のサービングセルの性能を危うくすることなく、受信ビーム掃引により、新しいサービングセル１８Ｂにとってより有利であることが明らかになるかもしれない別の受信ビームに切り替えることができないことを意味する。したがって、例えば図１に示すように、無線デバイス１４は、セル１８Ａのために既にビーム１４Ａを使用しているので、無線デバイス１４がビーム１４Ａを使用しなければならないという事実に基づいて、サービングセル１８Ｂのためにビーム１４Ａ〜１４Ａのどのビームを使用するかを決定するためのビーム掃引を実行することを控えることができる。特にこのような状況では、次に、いくつかの実施形態では、受信ビーム切り替えを見送ることによって、新たにアクティブ化されるサービングセル１８Ｂよりも、既にアクティブ化されたサービングセル１８Ａ（複数可）の性能を優先し、それによって、新たなサービングセル１８Ｂのアクティブ化を迅速化する。
【００３１】
いくつかの実施形態では、次に、最大遅延２０は、無線デバイス１４がアナログビームフォーミングおよび／またはハイブリッドビームフォーミングのみの能力を有するかどうか、および／または、そうでなければ、同じ周波数バンドで同時に複数のサービングセルからの信号を受信するために同じアンテナアレイおよび／または受信ビームを使用する必要があるかどうかに依存してもよい。例えば、無線デバイス１４がデジタルビームフォーミングが可能であるか、またはそうでなければ、同じ周波数バンドで同時に複数のサービングセルから信号を受信するために異なるアンテナアレイおよび／または受信ビームを使用することができる場合、最大遅延２０は、アクティブ化されることになるサービングセル１８Ｂが既にアクティブ化されたサービングセル１８Ａと同じ周波数バンドにある場合であっても、受信ビーム掃引を可能にするのに十分な長さとして定義されてもよい。しかし、無線デバイス１４が、アナログビームフォーミングおよび／またはハイブリッドビームフォーミングのみが可能であり、かつ／または、同じ周波数バンドで複数のサービングセルからの信号を同時に受信するために同じアンテナアレイおよび／または受信ビームを使用する必要がある場合、アクティブ化されることになるサービングセル１８Ｂが既にアクティブ化されたサービングセル１８Ａと同じ周波数バンドにある場合には、受信ビーム掃引を禁止するように、最大遅延２０はより短いものとして定義されてもよい。したがって、いくつかの実施形態では、より短い最大遅延は、無線デバイス１４がサービングセル１８Ｂのアクティブ化の一部として受信ビーム掃引を実行する必要がない（または実行しないことを選択する）ことに明示的にまたは本質的に基づいていてもよい。
【００３２】
代替的または追加的に、この点において、無線デバイス１４は、サービングセル１８Ｂをアクティブ化するためのアクティブ化手順２２において、サービングセル１８Ｂをアクティブ化するための受信ビーム掃引を実行するか否かを、無線デバイス１４のために既にアクティブ化された別のサービングセル１８Ａが存在するか否か、および無線デバイス１４がサービングセル１８Ｂおよび他のアクティブ化されたサービングセル１８Ａから同時に受信するために同じ受信ビーム１４ａを使用するように制限されているか否かに基づいて決定してもよい。
【００３３】
本明細書の修正および変形を考慮して、図２は、特定の実施形態に従って無線デバイス１４によって実行される方法を描写する。方法は、サービングセル１８Ｂをアクティブ化するように無線デバイス１４に命令するアクティブ化コマンド１６を受信すること（ブロック２００）を含む。方法はまた、アクティブ化コマンド１６を受信してから最大遅延２０内にサービングセル１８Ｂをアクティブ化すること（ブロック２１０）を含む。いくつかの実施形態では、最大遅延２０は、サービングセル１８Ｂがアクティブ化されることになるものと同じ周波数バンド２４（例えば、ＦＲ２における同じＮＲ運用バンド）において、無線デバイス１４に対して既にアクティブ化されている少なくとも１つの他のサービングセル１８Ａが存在するかどうかに依存する。それにかかわらず、いくつかの実施形態では、そのようなアクティブ化は、アクティブ化されることになるサービングセル１８Ｂから受信すべき受信ビームを決定するために、受信ビーム掃引を実施することを控えることを含んでもよい。そのような控えることは、例えば、サービングセル１８Ｂがアクティブ化されることになるサービングセル１８Ｂと同じ周波数バンド２４内に、無線デバイス１４に対して既にアクティブ化された少なくとも１つの他のサービングセル１８Ａが存在する場合に実行されてもよい。
【００３４】
１つ以上の実施形態では、方法はさらに、サービングセル１８Ａがアクティブ化されることになる周波数バンド２４と同じ周波数バンド２４において、無線デバイス１４に対して既にアクティブ化された少なくとも１つの他のサービングセル１８Ａが存在するかどうかを決定すること（ブロック２０２）を含む。方法は、サービングセルをアクティブ化するための複数の異なる可能なアクティブ化手順のうちの１つを選択すること（ブロック２０４）を含んでもよい。この選択は、サービングセル１８Ｂがアクティブ化されることになるであるのと同じ周波数バンド２４において、無線デバイス１４に対して既にアクティブ化された少なくとも１つの他のサービングセル１８Ａが存在するかどうかに基づいてもよい。いくつかの実施形態では、複数の異なる可能性のある手順のうちの少なくともいくつかは、セルアクティブ化において異なる遅延を生じる。代替的または追加的に、複数の可能なアクティブ化手順のうちの少なくとも１つにおいて、無線デバイス１４は、アクティブ化されることになるサービングセル１８Ｂから受信すべき受信ビームを決定するために、受信ビーム掃引を実施することを控える。
【００３５】
いくつかの実施形態では、方法はまた、サービングセル１８Ｂと少なくとも他のサービングセル１８Ａからの信号を、無線デバイス１４で同じアンテナアレイおよび／または受信ビームを使用して同時に受信することを含んでもよい。これは、例えば、サービングセル１８Ｂがアクティブ化されることになる周波数バンド２４と同じ周波数バンド２４において、無線デバイス１４に対して既にアクティブ化された少なくとも１つの他のサービングセル１８Ａが存在する場合であってもよい。
【００３６】
これらおよび他の実施形態では、その後、無線デバイス１４は、無線デバイス１４において、同じアンテナアレイおよび／または受信ビームを使用して、サービングセル１８Ｂおよび同じ周波数バンド２４内の任意のサービングセル１８Ａからの信号を同時に受信するように制限されてもよい。実際、いくつかの実施形態では、無線デバイス１４は、アンテナアレイを含み、アンテナアレイ内の複数のアンテナ要素のグループごとに１つの受信チェーンを含む。この場合、方法は、アナログビームフォーミングおよび／またはハイブリッドビームフォーミングを実行することをさらに含んでもよい。
【００３７】
少なくともいくつかの実施形態では、サービングセル１８Ｂをアクティブ化することは、サービングセルのための同期信号ブロックを受信すること、サービングセルのための自動利得制御または利得設定を実行すること、サービングセルのために使用する送信ビームを検出すること、サービングセルのためのチャネル状態情報の測定および／または報告を実行すること、サービングセルのためのサウンディング参照信号を送信すること、サービングセル上またはサービングセルのための制御チャネルを監視すること、サービングセルのためのサービングセル非アクティブ化タイマを開始すること、またはサービングセルのためのパワーヘッドルーム報告をトリガすること、のうちの１つ以上を含むことができることに留意されたい。
【００３８】
これらの実施形態のいずれかにおいて、サービングセル１８Ｂは、セカンダリセル（ＳＣｅｌｌ）であってもよく、および／または少なくとも１つの他のサービングセルは、プライマリセル（ＰＣｅｌｌ）、プライマリセカンダリセル（ＰＳＣｅｌｌ）、またはセカンダリセル（ＳＣｅｌｌ）であってもよい。
【００３９】
いくつかの実施形態では、最大遅延は、アクティブ化されることになるサービングセルに相対するバンド内コンポーネントキャリア上に、アクティブ化された少なくとも１つの他のサービングセルが既に存在するかどうかに依存する。
【００４０】
いくつかの実施形態では、周波数バンド２４は、ＮＲ周波数範囲に含まれる複数の可能なニューラジオ（ＮＲ）運用バンドのうちの１つを含む。そのような１つの実施形態では、最大遅延は、サービングセルがアクティブ化されることになるであるのと同じＮＲ運用バンド内に、無線デバイスに対して既にアクティブ化されている少なくとも１つの他のサービングセルが存在するかどうかに依存する。
【００４１】
いくつかの実施形態では、周波数バンドは、周波数サブバンドを含む。
【００４２】
いくつかの実施形態では、周波数バンドは、ニューラジオ（ＮＲ）動作周波数バンドに含まれる複数の可能なバンド内連続キャリアアグリゲーション運用バンドのうちの１つを含む。
【００４３】
いくつかの実施形態では、周波数バンドは、ミリメートル周波数バンド内の少なくともいくつかの周波数を含む。
【００４４】
いくつかの実施形態では、最大遅延はまた、アクティブ化されることになるサービングセルが無線デバイスに既知であるか未知であるかに依存する。
【００４５】
図３は、他の特定の実施形態に従った無線デバイス１４によって実行される方法を示す。方法は、サービングセル１８Ｂをアクティブ化するように無線デバイス１４に命令するアクティブ化コマンド１６を受信すること（ブロック３００）を含む。方法はまた、サービングセル１８Ｂをアクティブ化するためのアクティブ化手順２２において、受信ビーム掃引を実行するか否かを決定すること（ブロック３１０）を含む。この決定は、無線デバイス１４のための別のアクティブ化されたサービングセル１８Ａが既に存在するか否か、および無線デバイス１４がサービングセル１８Ｂと他のアクティブ化されたサービングセル１８Ａから同時に受信するために同じ受信ビームを使用するように制限されているか否かに基づいてもよい。いくつかの実施形態では、例えば、無線デバイス１４のための別のアクティブ化されたサービングセルが既に存在し、無線デバイス１４がサービングセル１８Ｂと他のアクティブ化されたサービングセル１８Ａから同時に受信するために同じ受信ビームを使用するように制限されている場合、無線デバイス１４は、アクティブ化手順２２で受信ビーム掃引を実行しないことを決定してもよい。代替的または追加的に、無線デバイス１４が、サービングセル１８Ｂおよびサービングセル１８Ｂと同じ周波数バンド（例えば、ＦＲ２のＮＲ運用バンド）に属する他のアクティブ化されたサービングセル１８Ａから同時に受信するために同じ受信ビームの使用するよう制限されるいくつかの実施形態において、無線デバイス１４は、無線デバイス１４のために既に別のアクティブ化されたサービングセル１８Ａが存在し、サービングセル１８Ｂおよび別のアクティブ化されたサービングセル１８Ａが同じ周波数バンド２４に属する場合に、アクティブ化手順において受信ビーム掃引を実行しないことを決定してもよい。それにかかわらず、方法はまた、決定に従って、受信ビーム掃引を含むかまたは除外するアクティブ化手順でサービングセル１８Ｂをアクティブ化すること（ブロック３２０）を含む。
【００４６】
いくつかの実施形態では、方法は、サービングセル１８Ｂと少なくとも他のサービングセル１８Ａ上にあるサービングセル１８Ａからの信号を、無線デバイス１４で同じアンテナアレイおよび／または受信ビームを使用して同時に受信すること（ブロック３３０）をさらに含む。これは、例えば、サービングセル１８Ｂがアクティブ化されることになる周波数バンド２４と同じ周波数バンド２４において、無線デバイス１４に対して既にアクティブ化された少なくとも１つの他のサービングセル１８Ａが存在する場合であってもよい。
【００４７】
これらおよび他の実施形態では、その後、無線デバイスは、無線デバイス１４において、同じアンテナアレイおよび／または受信ビームを使用して、サービングセル１８Ｂおよび同じ周波数バンド２４内の任意のサービングセル１８Ａからの信号を同時に受信するように制限されてもよい。実際、いくつかの実施形態では、無線デバイス１４は、アンテナアレイ２６を含み、アンテナアレイ２６内の複数のアンテナ要素のグループごとに１つの受信チェーンを含む。この場合、方法は、アナログビームフォーミングおよび／またはハイブリッドビームフォーミングを実行することをさらに含んでもよい。
【００４８】
少なくともいくつかの実施形態では、サービングセルをアクティブ化することは、サービングセルのための同期信号ブロックを受信すること、サービングセルのための自動利得制御または利得設定を実行すること、サービングセルのために使用する送信ビームを検出すること、サービングセルのためのチャネル状態情報の測定および／または報告を実行すること、サービングセルのためのサウンディング参照信号を送信すること、サービングセル上またはサービングセルのための制御チャネルを監視すること、サービングセルのためのサービングセル非アクティブ化タイマを開始すること、またはサービングセルのためのパワーヘッドルーム報告をトリガすること、のうちの１つ以上を含むことができることに留意されたい。
【００４９】
これらの実施形態のいずれかにおいて、サービングセルは、セカンダリセル（ＳＣｅｌｌ）であってもよく、および／または少なくとも１つの他のサービングセルは、プライマリセル（ＰＣｅｌｌ）、プライマリセカンダリセル（ＰＳＣｅｌｌ）、またはセカンダリセル（ＳＣｅｌｌ）であってもよい。
【００５０】
いくつかの実施形態では、最大遅延は、アクティブ化されることになるサービングセルに相対するバンド内コンポーネントキャリア上に、少なくとも１つの他のアクティブ化されたサービングセルが既に存在するかどうかに依存する。
【００５１】
いくつかの実施形態では、周波数バンド２４は、ＮＲ周波数範囲に含まれる複数の可能なニューラジオ（ＮＲ）運用バンドのうちの１つを含む。そのような一実施形態では、最大遅延は、サービングセルがアクティブ化されることになるであるのと同じＮＲ運用バンド内に、無線デバイスのために既にアクティブ化された少なくとも１つの他のサービングセルが存在するかどうかに依存する。
【００５２】
いくつかの実施形態では、周波数バンドは、周波数サブバンドを含む。
【００５３】
いくつかの実施形態では、周波数バンドは、ニューラジオ（ＮＲ）動作周波数バンドに含まれる複数の可能なバンド内連続キャリアアグリゲーション運用バンドのうちの１つを含む。
【００５４】
いくつかの実施形態では、周波数バンドは、ミリメートル周波数バンド内の少なくともいくつかの周波数を含む。
【００５５】
いくつかの実施形態では、最大遅延はまた、アクティブ化されることになるサービングセルが無線デバイスに既知であるか未知であるかに依存する。
【００５６】
図４は、他の特定の実施形態に従った無線デバイス１４によって実行される方法を示す。方法は、サービングセル１８Ｂをアクティブ化するように無線デバイス１４に命令するアクティブ化コマンド１６を受信すること（ブロック４００）を含む。方法はまた、サービングセル１８Ｂをアクティブ化するためのアクティブ化手順２２において、受信ビーム掃引を実行するか否かを決定すること（ブロック４１０）を含む。この決定は、サービングセル１８Ｂがアクティブ化されることになるであるのと同じ周波数バンド２４（例えば、ＦＲ２におけるＮＲ運用バンド）において、無線デバイス１４に対して既にアクティブ化されている少なくとも１つの他のサービングセル１８Ａが存在するかどうかに基づいてもよい。サービングセル１８Ａがアクティブ化されることになるであるのと同じ周波数バンド２４において無線デバイス１４のために既にアクティブ化された少なくとも１つの他のサービングセル１８Ａが存在するいくつかの実施形態では、無線デバイス１４は、サービングセル１８Ｂおよび他のアクティブ化されたサービングセル１８Ａから同時に受信するための受信ビーム掃引を除くアクティブ化手順２２を用いてサービングセル１８Ｂをアクティブ化してもよい。それにかかわらず、方法はまた、決定に従って、受信ビーム掃引を含むかまたは除外するアクティブ化手順２２でサービングセル１８Ｂをアクティブ化すること（ブロック４２０）を含む。
【００５７】
いくつかの実施形態では、方法は、サービングセル１８Ｂと少なくとも他のサービングセル１８Ａ上にあるサービングセル１８Ａからの信号を、無線デバイス１４で同じアンテナアレイおよび／または受信ビームを使用して同時に受信すること（ブロック４３０）をさらに含む。これは、例えば、サービングセル１８Ｂがアクティブ化されることになる周波数バンド２４と同じ周波数バンド２４において、無線デバイス１４に対して既にアクティブ化された少なくとも１つの他のサービングセル１８Ａが存在する場合であってもよい。
【００５８】
これらおよび他の実施形態では、その後、無線デバイス１４は、無線デバイス１４において、同じアンテナアレイおよび／または受信ビームを使用して、サービングセル１８Ｂおよび同じ周波数バンド２４内の任意のサービングセル１８Ａからの信号を同時に受信するように制限されてもよい。実際、いくつかの実施形態では、無線デバイス１４は、アンテナアレイ２６を含み、アンテナアレイ内の複数のアンテナ要素のグループごとに１つの受信チェーンを含む。この場合、方法は、アナログビームフォーミングおよび／またはハイブリッドビームフォーミングを実行することをさらに含んでもよい。
【００５９】
少なくともいくつかの実施形態では、サービングセル１８Ｂをアクティブ化することは、サービングセルのための同期信号ブロックを受信すること、サービングセルのための自動利得制御または利得設定を実行すること、サービングセルのために使用する送信ビームを検出すること、サービングセルのためのチャネル状態情報の測定および／または報告を実行すること、サービングセルのためのサウンディング参照信号を送信すること、サービングセル上またはサービングセルのための制御チャネルを監視すること、サービングセルのためのサービングセル非アクティブ化タイマを開始すること、またはサービングセルのためのパワーヘッドルーム報告をトリガすること、のうちの１つ以上を含むことができることに留意されたい。
【００６０】
これらの実施形態のいずれかにおいて、サービングセル１８Ｂは、セカンダリセル（ＳＣｅｌｌ）であってもよく、および／または少なくとも１つの他のサービングセルは、プライマリセル（ＰＣｅｌｌ）、プライマリセカンダリセル（ＰＳＣｅｌｌ）、またはセカンダリセル（ＳＣｅｌｌ）であってもよい。
【００６１】
いくつかの実施形態では、最大遅延２０は、アクティブ化されることになるサービングセルに相対するバンド内コンポーネントキャリア上に、アクティブ化された少なくとも１つの他のサービングセルが既に存在するかどうかに依存する。
【００６２】
いくつかの実施形態では、周波数バンド２４は、ＮＲ周波数範囲に含まれる複数の可能なニューラジオ（ＮＲ）運用バンドのうちの１つを含む。そのような一実施形態では、最大遅延は、サービングセルがアクティブ化されることになるであるのと同じＮＲ運用バンド内に、無線デバイスのために既にアクティブ化された少なくとも１つの他のサービングセルが存在するかどうかに依存する。
【００６３】
いくつかの実施形態では、周波数バンドは、周波数サブバンドを含む。
【００６４】
いくつかの実施形態では、周波数バンドは、ニューラジオ（ＮＲ）動作周波数バンドに含まれる複数の可能なバンド内連続キャリアアグリゲーション運用バンドのうちの１つを含む。
【００６５】
いくつかの実施形態では、周波数バンドは、ミリメートル周波数バンド内の少なくともいくつかの周波数を含む。
【００６６】
いくつかの実施形態では、最大遅延はまた、アクティブ化されることになるサービングセルが無線デバイスにとって既知であるか未知であるかに依存する。
【００６７】
上述の装置は、任意の機能的手段、モジュール、ユニット、または回路を実装することによって、本明細書の方法および他の任意の処理を実行してもよいことに留意されたい。一実施形態では、例えば、装置は、方法の図に示されたステップを実行するように構成されたそれぞれの回路（circuits）または回路（circuitry）を含む。この点での回路または回路は、特定の機能的処理を実行するために専用の回路、および／またはメモリと連動した１つ以上のマイクロプロセッサを含んでもよい。例えば、回路は、１つ以上のマイクロプロセッサまたはマイクロコントローラ、およびデジタル信号プロセッサ（ＤＳＰ）、特定用途デジタルロジックなどを含む他のデジタルハードウェアを含んでもよい。処理回路は、メモリに記憶されたプログラムコードを実行するように構成されていてもよく、このメモリは、リードオンリーメモリ（ＲＯＭ）、ランダムアクセスメモリ、キャッシュメモリ、フラッシュメモリ装置、光記憶装置などの１種類または複数種類のメモリを含んでいてもよい。メモリに記憶されたプログラムコードは、いくつかの実施形態において、本明細書に記載された技術のうちの１つまたは複数の技術を実行するための命令と同様に、１つまたは複数の電気通信プロトコルおよび／またはデータ通信プロトコルを実行するためのプログラム命令を含んでもよい。メモリを採用する実施形態では、メモリは、１つ以上のプロセッサによって実行されると本明細書に記載された技術を実行するプログラムコードを格納する。
【００６８】
例示のための図５は、１つ以上の実施形態に従って実施されるような無線デバイス５００（例えば、無線デバイス１４）を例示している。図示されているように、無線デバイス５００は、処理回路５１０および通信回路５２０を含む。通信回路５２０（例えば、無線回路）は、任意の通信技術を介して、例えば、１つ以上の他のノードに、および／または他のノードから情報を送信および／または受信するように構成される。そのような通信は、無線デバイス５００の内部または外部のいずれかである１つ以上のアンテナを介して行われてもよい。処理回路５１０は、メモリ５３０に記憶された命令を実行することなど、上述した処理、例えば図２、図３、および／または図４を参照して説明した処理を実行するように構成されている。この点での処理回路５１０は、特定の機能的手段、ユニット、またはモジュールを実装してもよい。
【００６９】
図６は、また他の実施形態（例えば、図１１に示す無線ネットワーク）に従った無線ネットワークにおける無線デバイス６００（例えば、無線デバイス１４）の概略ブロック図を示す。示されているように、無線デバイス６００は、様々な機能的手段、ユニット、またはモジュールを、例えば、図５の処理回路５１０を介して、および／またはソフトウェアコードを介して実装する。これらの機能的手段、ユニット、またはモジュールは、例えば、本明細書の方法を実施するために、例えば、上述のようなアクティブ化コマンドを受信するための受信ユニット６１０、および／または上述のようなサービングセルをアクティブ化するためのアクティブ化ユニット６２０を含む。
【００７０】
当業者であれば、本明細書の実施形態が、対応するコンピュータプログラムをさらに含むことを理解するであろう。
【００７１】
コンピュータプログラムは、装置の少なくとも１つのプロセッサ上で実行されると、装置に上述したいずれかのそれぞれの処理を実行させる命令を含む。この点でのコンピュータプログラムは、上述の手段またはユニットに対応する１つ以上のコードモジュールを含んでいてもよい。
【００７２】
実施形態はさらに、そのようなコンピュータプログラムを含むキャリアを含む。このキャリアは、電気信号、光信号、無線信号、またはコンピュータ可読記憶媒体のうちの１つを含んでもよい。
【００７３】
これに関して、本明細書の実施形態はまた、非一時的コンピュータ可読（記憶または記録）媒体に記憶されたコンピュータプログラム製品を含み、装置のプロセッサによって実行されると、装置を上記のように実行させる命令を含む。
【００７４】
実施形態はさらに、コンピュータプログラム製品がコンピューティングデバイスによって実行されるときに、本明細書の実施形態のいずれかのステップを実行するためのプログラムコード部分を含むコンピュータプログラム製品を含む。このコンピュータプログラム製品は、コンピュータ可読記録媒体に格納されていてもよい。
【００７５】
追加の実施形態を次に説明する。これらの実施形態の少なくともいくつかは、例示目的のために、特定の文脈および／または無線ネットワークタイプにおいて適用可能であるように記載されてもよいが、実施形態は、明示的に記載されていない他の文脈および／または無線ネットワークタイプにおいても同様に適用可能である。
【００７６】
第５世代の移動通信システム（５Ｇ；ＮＲ−ニューラジオ）は、６ＧＨｚまでのキャリア周波数の再利用／リファームと、２４ＧＨｚ以上のキャリア周波数の使用の両方に基づいている。前者の周波数範囲はＦＲ１（周波数範囲１）と呼ばれ、後者の周波数範囲はＦＲ２（周波数範囲２）またはｍｍＷ（ミリ波）と呼ばれることがある。技術的な解決策は、２つの周波数範囲の間で大きく異なる。ＦＲ１では、ベースラインとなるユーザ装置（ＵＥ）が受信・送信時に無指向性であることを前提としている（プリコーディングやデジタルビームフォーミングは可能である）のに対し、ＦＲ２では受信・送信時に多くのアンテナ素子を用いたビームフォーミングを行うことを前提としている。ＦＲ１については、ＵＥが同時受信用に２〜４本のアンテナを有することを想定しているのに対し、ＦＲ２については、ＵＥが受信用に（例えば２×４、４×４、８×８の素子をマトリクス状に配列した、例えば８、１６、６４以上のアンテナ素子の）アンテナアレイを有することを想定している。
【００７７】
ＦＲ１（および３Ｇ（ＵＴＲＡ；ＷＣＤＭＡ、ＴＤ−ＳＣＤＭＡ）および４Ｇ（Ｅ−ＵＴＲＡ；ＬＴＥ）などのレガシー用）のＵＥ無線受信機では、各アンテナは、ＬＮＡ（低雑音増幅器）、ミキサ、増幅器、およびさらにＡＤＣ（アナログ−デジタル変換器）に接続されており、これにより、各アンテナから受信された信号は、無線サンプルのデジタルストリームとしてベースバンドに利用可能になる。ベースバンドでは、ＵＥは、ビームフォーミングを達成するために、異なる方法でアンテナストリームを組み合わせる（異なるストリームのための位相シフト、ゲインシフト、時間遅延などを使用して、受信した無線サンプルのストリームを合計する）ことができる。これはデジタルビームフォーミングと呼ばれている。ベースバンドの能力（例えば、ＤＳＰ（デジタル信号処理装置）の能力またはハードウェアの能力）に応じて、ＵＥは、ベースバンド内で異なる空間方向からの多数のビームを同時に受信することができる。
【００７８】
ＦＲ２用のＵＥ無線受信機については、信号の受信及び送信に必要とされるより多くのアンテナ要素のために、ＵＥのベンダは、例えば６４個のアンテナ要素の各々を別個のＬＮＡ、ミキサ、アンプ及びＡＤＣに接続することは、あまりにも高いハードウェアの複雑さをもたらすと考えている。したがって、ＵＥベンダは、デジタルビームフォーミングの代わりに、アナログビームフォーミングまたはハイブリッドビームフォーミングを使用することを提案している。アナログビームフォーミング及びハイブリッドビームフォーミングでは、アンテナ要素のグループが互いに電気的に接続され、１つは、グループ内の各アンテナ要素の位相を制御することができる。受信した信号は、無線受信機に渡される前に電気的に結合される。したがって、例えば６４個のアンテナ要素のそれぞれに完全な受信チェーン（ＬＮＡ、ミキサー、アンプ、ＡＤＣ）を持つ代わりに、アンテナ要素のグループごとに１つの受信チェーンが必要になる。このグループはサブアレイと呼ばれている。
【００７９】
アナログビームフォーミングやハイブリッドビームフォーミングは、デジタルビームフォーミングに比べて、アンテナ素子群が電気的に接続されているため、ＵＥが複数の方向から同時に受信することができないという制約がある。ＵＥが現在受信ビームを向けている方向以外の空間方向から受信した信号の情報は、アンテナ素子からの電気信号を合成する際に既に失われてしまう。したがって、ＵＥが現在受信している方向とは異なる他の方向からの信号を検出しようとする場合、ＵＥは、信号を検出しようとしている間に、受信ビームを向けることができるすべての方向を循環させる、いわゆるＲｘビーム掃引を実行しなければならない。図７は、ＵＥのＲＸビームとｇＮＢのＴＸビームを示している。ＵＥは、一度に１つの空間方向からしか受信できない。この例では、ＵＥは、ｇＮＢによって送信されたビームを受信するためにＲＸビーム１を使用する必要がある。
【００８０】
今、セカンダリセル（ＳＣｅｌｌ）のアクティブ化を考える。同期信号および物理ブロードキャストチャネル（ＰＢＣＨ）ブロック（すなわち、同期信号ブロック（ＳＳＢ））は、（ＳＳＢが送信されないことがシグナリングされていない限り）ＮＲセル内に存在すると仮定できる唯一の信号を表す。ＳＳＢは、プライマリ同期信号（ＰＳＳ）、セカンダリ同期信号（ＳＳＳ）、物理ブロードキャストチャネル（ＰＢＣＨ）、および復調参照シンボル（ＤＭ−ＲＳ）から構成される。個々のＳＳＢは、図８Ａに示すように、４つの隣接するＯＦＤＭ（直交周波数分割多重）シンボルにまたがっている。
【００８１】
ＳＳＢは、ハーフフレーム（５ｍｓ）内で送信され、ＳＳＢバーストと呼ばれる。ハーフフレーム内では、図８Ｂに示すように、異なるセルまたは異なるビームのための複数のＳＳＢが送信されてもよい。バースト内のＳＳＢ位置の個数は、周波数範囲および使用中のＮＲヌメロロジーに依存する。ＦＲ２で使用される１２０Ｈｚおよび２４０ｋＨｚのＳＳＢ＿ＳＣＳ（サブキャリア間隔）の場合、ＳＳＢ位置（すなわちＳＳＢインデックス）の個数は６４である。各インデックスは、セル内の異なるＴｘビーム（送信ビームまたはセクタ）を表すことができる。
【００８２】
ＳＳＢバースト（したがって、個々のＳＳＢ）は、図８Ｃに示すように、５、１０、２０、４０、８０または１６０ｍｓであってもよいＳＳＢベースの無線リソース管理（ＲＲＭ）ＳＳ／ＰＢＣＨブロック測定タイミング構成（ＳＭＴＣ）サイクルに従って送信される。ＦＲ２の典型的なネットワーク構成は、ＳＭＴＣ周期が２０ｍｓである。
【００８３】
ＵＥがＳＣｅｌｌアクティブ化を受信すると、ＳＳＢバースト内のＳＳＢの位置（およびＳＳＢの位置）は、ＰＣｅｌｌ内のシグナリングを介してＵＥに既知である。
【００８４】
ＳＣｅｌｌアクティブ化において、セルが既知であるか否かに応じて、ＵＥは、少なくともセル内の送信信号またはブロードキャスト信号に関して最低限の構成では、ＳＳＢの受信に基づくいくつかのステップを経なければならない。ステップは、例えば、ＡＧＣ（自動利得制御）または利得設定、アクティブ化されることになるＳＣｅｌｌの検出、および／または使用する最適なＴｘビームの検出、およびＣＳＩ（チャネル状態情報）の測定および報告を含む。ＦＲ２のＵＥの場合、アクティブ化手順は、どのＵＥのＲｘビームを使用するかを決定すること（いわゆるビーム掃引）を追加的に含んでもよい。これは、アクティブ化時間が、ビーム掃引でＵＥが調査する空間方向（ＲＸビーム）の数と同様に、使用中のＳＭＴＣ期間に依存するようになることを意味する。もし、ＵＥが８方向までの空間方向のＲｘビーム掃引を行うことが許されるならば、ＦＲ１に対する既存のＳＣｅｌｌアクティブ化遅延要件は、最大で８倍にスケーリングされる可能性がある。
【００８５】
現在、一定の課題が存在する。ＦＲ２に属するＮＲ＿ＳＣｅｌｌのアクティブ化のためのＮＲ＿ＳＣｅｌｌアクティブ化時間遅延要件は、ＦＲ１のＮＲ＿ＳＣｅｌｌのアクティブ化時間遅延要件をＦＲ２のＵＥのＲｘビーム掃引を考慮してどのようにスケールアップするかという問題もあり、複雑なものとなっている。典型的なセル構成（ＳＭＴＣ周期２０ｍｓ）でＦＲ２のアクティブ化時間をＦＲ１の４〜８倍にスケーリングすると、アクティブ化時間は３２０〜６４０ｍｓになる。比較として、Ｅ−ＵＴＲＡにおける典型的なＳＣｅｌｌアクティブ化時間は２４〜３４ｍｓである。
【００８６】
ＦＲ２のＵＥアーキテクチャのベースラインは、アナログまたはハイブリッドビームフォーミングに基づいており、ＵＥは一度に一方向からしか受信できない。これは、デジタルビームフォーミングをベースにしているＦＲ１で想定されるＵＥアーキテクチャとは対照的であり、このような制限はない。
【００８７】
ＦＲ２でＮＲに想定されているＣＡ（キャリアアグリゲーション）シナリオの多くは、アグリゲーションされるセルが同じ周波数バンド内にあることを意味するバンド内シナリオである。周波数バンド内のセルのバンド幅は、５０〜４００ＭＨｚのセルバンド幅、２００〜１２００ＭＨｚのアグリゲーションバンド幅、最大８個のアグリゲーションセルまたはＣＣ（コンポーネントキャリア）など、高度に設定可能であるため、バンド内ＣＡシナリオでは、ＵＥの複雑さの理由から、同じ周波数バンドまたは周波数サブバンド内の異なるＣＣ上のセルは、同じＵＥアンテナアレイを使用してサービスを提供しなければならない可能性がある。その結果、デジタルビームフォーミングではなくアナログビームフォーミングやハイブリッドビームフォーミングがベースラインとなるため、どの空間方向からＵＥがアグリゲーションされたセルのセットを受信するかに制約が生じることになる。
【００８８】
受信方向の制約は、ＦＲ２におけるＳＣｅｌｌのアクティブ化、およびＦＲ２におけるバンド内キャリアアグリゲーションにおける予想されるＵＥの動作を含む、いくつかのＵＥ手順に影響を与え得る。
【００８９】
本開示の特定の側面およびそれらの実施形態は、これらまたは他の課題に対する解決策を提供し得る。いくつかの実施形態では、ＳＣｅｌｌが追加される（またはアクティブ化される）場合、その周波数バンドまたは周波数サブバンド内の既にアクティブ化されたセル（ＰＣｅｌｌ、ＰＳＣｅｌｌ、ＳＣｅｌｌ）への接続性が優先されることを規定するＦＲ２におけるキャリアアグリゲーションのためのルールを課す。このルールは、ＵＥが、ＳＣｅｌｌをアクティブ化する際に、ＵＥのＲｘビームのアナログ設定を変更してはならないことを暗示しているが、これは、同じＵＥアンテナアレイによってサービスを提供されている既にアクティブ化されたセルの受信を危険にさらすことになるからである。
【００９０】
上記の定義されたルールでは、周波数バンドや周波数サブバンドにすでにアクティブ化されたセルがある場合、ＳＣｅｌｌをアクティブ化する際にＵＥのＲｘビームの掃引を行う必要はない。その結果、ＳＣｅｌｌのアクティブ化手順は、ＵＥが最初にアクティブ化中にＲｘビーム掃引を行っていた場合よりも速くなる可能性がある。
【００９１】
特に、アクティブ化されるＳＣｅｌｌが既知であり、ＦＲ２に属し、かつ、（ｉ）アクティブ化されるＳＣｅｌｌとＰＣｅｌｌが同じバンド（またはサブバンド）にある、（ｉｉ）アクティブ化されるＳＣｅｌｌとＰＳＣｅｌｌが同じバンド（またはサブバンド）にある、（ｉｉｉ）アクティブ化されるＳＣｅｌｌと同じバンド（またはサブバンド）に少なくとも１つのアクティブ化されたＳＣｅｌｌがある、の条件のうち少なくとも１つが満たされている場合には、ＳＣｅｌｌのアクティブ化時間（Ｔactivation_time）は、ＵＥのＲｘビーム掃引のための追加の時間を含まないものとし、したがって、より短くすることができる（典型的なセル構成では４０〜８０ｍｓ）。
【００９２】
具体的には、新しいＳＣｅｌｌがアクティブ化され、そのＳＣｅｌｌが既にアクティブ化されている他のセルの周波数範囲内にあり、その周波数範囲が同じＵＥのアンテナアレイによって提供されている場合、アクティブ化されるＳＣｅｌｌは、既にアクティブ化されているセルとの通信が低下したり、失われたりすることになるため、ＵＥのＲｘビームを変更することはできない。その代わりに、ＳＣｅｌｌは、既にアクティブ化されたセルによって使用されるＵＥのＲｘビームの制限の下でアクティブ化されるものとする。
【００９３】
特定の実施形態では、以下の技術的利点のうちの１つ以上を提供することができる。ＮＲのＳＣｅｌｌアクティブ化時間が短くなり、システムは、単にＲｘビーム掃引を考慮して既存のＳＣｅｌｌアクティブ化時間をスケーリングする場合よりも良く動作する（ｇＮＢスケジューリングおよび負荷分散、ＵＥの消費電力）。
【００９４】
いくつかの実施形態では、非限定的な用語「ＵＥ」が使用される。本明細書において、ＵＥは、無線信号を介してネットワークノードまたは別のＵＥと通信することができる任意のタイプの無線デバイスであり得る。また、ＵＥは、無線通信デバイス、ターゲットデバイス、デバイス間（Ｄ２Ｄ）ＵＥ、マシンタイプＵＥまたはマシン間通信（Ｍ２Ｍ）が可能なＵＥ、ＵＥを装備したセンサ、タブレット、携帯端末、スマートフォン、ラップトップ埋込装置（ＬＥＥ）、ラップトップ搭載装置（ＬＭＥ）、ＵＳＢドングル、顧客構内装置（ＣＰＥ）などであってもよい。
【００９５】
また、いくつかの実施形態では、一般的な用語「ネットワークノード」が使用される。それは、基地局、無線基地局、基地送受信局、基地局コントローラ、ネットワークコントローラ、ｇＮＢ、ＮＲ＿ＢＳ、進化型ノードＢ（ｅＮＢ）、ノードＢ、マルチセル／マルチキャストコーディネーションエンティティ（ＭＣＥ）、中継ノード、アクセスポイント、無線アクセスポイント、リモート無線ユニット（ＲＲＵ）リモート無線ヘッド（ＲＲＨ）、マルチスタンダードＢＳ（別名ＭＳＲ＿ＢＳ）、コアネットワークノード（例えば、ＭＭＥ、ＳＯＮノード、調整ノード、測位ノード、ＭＤＴノードなど）などの無線ネットワークノードを構成してもよい任意の種類のネットワークノードであり得る。また、ネットワークノードは、試験装置を含んでもよい。
【００９６】
本実施形態は、ＵＥのマルチキャリア動作だけでなく、シングルキャリア動作にも適用可能である。ＵＥのマルチキャリア動作の例としては、キャリアアグリゲーション（ＣＡ）およびマルチコネクティビティ（ＭＣ）がある。ＣＡでは、ＵＥは、複数のサービングセルにデータを受信および／または送信することができる。デュアルコネクティビティ（ＤＣ）は、ＭＣの特殊なケースまたは例である。ＤＣは、少なくともＰＣｅｌｌを含む１つのメインセルグループ（ＭＣＧ）と、少なくともＰＳｃｅｌｌを含む１つのセカンダリセルグループ（ＳＣＧ）とを含む。キャリアアグリゲーション（ＣＡ）という用語は、（例えば、互換的に）「マルチキャリアシステム」、「マルチセルオペレーション」、「マルチキャリアオペレーション」、「マルチキャリア」送信および／または受信とも呼ばれる。ＣＡでは、コンポーネントキャリア（ＣＣ）の１つは、プライマリコンポーネントキャリア（ＰＣＣ）、あるいは単にプライマリキャリア、あるいはアンカーキャリアと呼ばれる。残りのものは、セカンダリコンポーネントキャリア（ＳＣＣ）、または単にセカンダリキャリア、または補助キャリアとも呼ばれる。サービングセルは、プライマリセル（ＰＣｅｌｌ）またはプライマリサービングセル（ＰＳＣ）と互換的に呼ばれる。同様に、セカンダリサービングセルは、互換的に、セカンダリセル（ＳＣｅｌｌ）またはセカンダリサービングセル（ＳＳＣ）と呼ばれる。Ｅ−ＵＴＲＡとＮＲが関与するＤＣ動作の一例では、Ｅ−ＵＴＲＡがマスタである。Ｅ−ＵＴＲＡとＮＲが関与するＤＣ動作の別の例では、ＮＲがマスタである。ＤＣ動作は、ＮＲサービングセル（例えば、ＮＲ＿ＰＣｅｌｌ、ＮＲ＿ＰＳＣｅｌｌおよびＮＲ＿ＳＣｅｌｌ）のみ、またはＬＴＥサービングセル（例えば、ＬＴＥ＿ＰＣｅｌｌ、ＬＴＥ＿ＰＳＣｅｌｌおよびＬＴＥ＿ＳＣｅｌｌ）のみを関与させてもよい。
【００９７】
本明細書で使用される用語「アクティブ化」は、サービングセルのアクティブ化、サービングセルの追加、サービングセルの構成などを指す場合がある。本明細書で使用される用語「非アクティブ化」は、サービングセルの非アクティブ化、サービングセルの解放、サービングセルのデコンフィギュレーションなどを指す場合がある。サービングセルの例としては、ＳＣｅｌｌ、ＰＳＣｅｌｌなどが挙げられる。アクティブ化手順の例としては、ＳＣｅｌｌのアクティブ化、ＰＳＣｅｌｌの追加などが挙げられる。ＳＣｅｌｌのアクティブ化は、ＳＣｅｌｌの追加と呼ばれることもある。非アクティブ化手順の例は、ＳＣｅｌｌの非アクティブ化、ＰＳＣｅｌｌの解放などである。
【００９８】
いくつかの実施形態では、サービングセルは、（例えば、ＲＲＣを使用して）半静的に構成されてもよいが、より動的に（例えば、ＭＡＣ＿ＣＥを介して）アクティブ化／非アクティブ化されてもよい。このような動的なアクティブ化または非アクティブ化は、セル負荷、チャネル条件などに基づいてもよい。
【００９９】
あるシナリオでは、少なくとも１つのサービングセル（ＰＣｅｌｌ）で構成され、さらに第２のサービングセル（ｃｅｌｌ２）をアクティブ化するように構成されたＵＥ（例えば、ＳＣｅｌｌをアクティブ化するように構成されたＵＥ）を含む。ＵＥは、ネットワークノード（例えば、ＰＳＣにサービスを提供しているか、またはＰＳＣを制御しているノード）によって、メッセージ（例えば、ＭＡＣコマンド、ＲＲＣメッセージ、Ｌ１メッセージ、例えば、ＰＤＣＣＨなどのＤＬ制御チャネル上で送信されるＤＣＩメッセージを介して）によって、ｃｅｌｌ２をアクティブ化するように構成することができる。ｃｅｌｌ２は、ＵＥの観点からは、アクティブ化コマンドまたはメッセージを受信する前に非アクティブ化状態にある。ＵＥは、構成メッセージを受信した後、ｃｅｌｌ２のアクティブ化を開始しなければならない。
【０１００】
いくつかの実施形態によれば、ＵＥは、ｃｅｌｌ２が属する周波数バンド内に１つ以上のアクティブ化されたセルが既に存在するかどうかに依存する特定のサービングセルアクティブ化時間（Ｔactivation_time）内にｃｅｌｌ２をアクティブ化する。周波数バンドは、例えば、（ｉ）３ＧＰＰ規格で定義された完全な周波数バンド（例えば、「ｎ２５７」、「ｎ２５８」、「ｎ２６０」、「ｎ２６１」）、または（ｉｉ）その一部（すなわち、サブバンド（「ＣＡ＿ｎ２５７Ｂ」、「ＣＡ＿ｎ２５７Ｄ」、「ＣＡ＿２５７（２Ａ）」、「ＣＡ＿２５７（３Ａ）」など）、または（ｉｉｉ）代替的に、ＵＥアーキテクチャからまたは報告されたＵＥのＲＦ能力から推論される周波数の範囲、であってもよい。
【０１０１】
ＦＲ２のための標準化された周波数バンドは、３ＧＰＰ  ＴＳ  ３８．１０１−２のセクション５（3GPP Technical Specification Group Radio Access Network; NR; User Equipment (UE) radio transmission and reception; Part 2: Range 2 Standalone (Release 15)）に規定されている。例えば、周波数範囲ＦＲ１は、４５０ＭＨｚから６０００ＭＨｚであってもよく、一方、周波数範囲ＦＲ２は、２４２５０ＭＨｚから５２６００ＭＨｚであってもよい。図９Ａは、ＮＲがＦＲ２内で動作するように設計されている運用バンドを定義するテーブル５．２−１と呼ばれるものを示している。次に、図９Ｂは、ＮＲのバンド内連続キャリアアグリゲーションが動作するように設計されている運用バンドを示している。全ての運用バンドは、ＦＲ２内である。最後に、図９Ｃは、ＮＲバンド間キャリアアグリゲーションが動作するように設計されている運用バンドを示す。ここでも、すべての運用バンドはＦＲ２内にある。
【０１０２】
この文脈では、本明細書のいくつかの実施形態に従ったＵＥの動作は、例えば、以下のような３ＧＰＰ  ＴＳ  ３８．１３３仕様の要件を介して捕捉されてもよく、ＦＲ２内に既にアクティブ化されたバンド内隣接セルが存在するかどうかについて区別されている。
【０１０３】
＊＊＊
８．３．２  非アクティブ化されたＳＣｅｌｌのアクティブ化遅延要件
本節の要件は、ＳＣＧ内に１つのダウンリンクＳＣｅｌｌを持つＵＥに適用される。
ＵＥがＳＣＧで非アクティブ化されたＳＣｅｌｌをアクティブ化するまでの遅延時間は、指定された条件に依存する。
ＵＥは、スロットｎでＳＣＧのＳＣｅｌｌアクティブ化コマンドを受信すると、スロットｎ＋［ＴHARQ＋Ｔactivation_time＋ＴCSI_reporting］の時点までに、有効なチャネル状態情報（ＣＳＩ）報告を送信し、アクティブ化されたＳＣｅｌｌのアクティブ化コマンドに関連する動作を適用することができること。
ここで
ＴHARQは、ＤＬデータ送信と確認応答の間のタイミングである。
Ｔactivation_timeは、ＳＣｅｌｌのアクティブ化遅延時間である。ＳＣｅｌｌが既知でＦＲ１に属する場合、Ｔactivation_timeは、
−ＳＣｅｌｌの測定周期が［１６０ｍｓ］以下であれば、［３ｍｓ＋１＊ＳＭＴＣ周期＋４＊ＯＦＤＭシンボル］。
−ＳＣｅｌｌの測定周期が［１６０ｍｓ］よりも大きい場合、［３ｍｓ＋２＊ＳＭＴＣ周期＋４＊ＯＦＤＭシンボル］。
ＳＣｅｌｌが未知でＦＲ１に属する場合、Ｔactivation_timeは、
−［３ｍｓ＋４＊ＳＭＴＣ周期＋４＊ＯＦＤＭシンボル］最初の試行でＳＣｅｌｌが成功裏に検出さた場合に提供される。
アクティブ化されたＳＣｅｌｌが既知でＦＲ２に属し、バンド内ＣＣ上にアクティブ化されたセルがない場合、Ｔactivation_timeは、［ＴＢＤ］。
アクティブ化されたＳＣｅｌｌが既知でＦＲ２に属し、バンド内ＣＣ上に少なくとも１つのアクティブ化されたセルがある場合、Ｔactivation_timeは、
−ＳＣｅｌｌの測定周期が［１６０ｍｓ］以下であれば、［３ｍｓ＋１＊ＳＭＴＣ周期＋４＊ＯＦＤＭシンボル］。
−ＳＣｅｌｌの測定周期が［１６０ｍｓ］よりも大きい場合、［３ｍｓ＋２＊ＳＭＴＣ周期＋４＊ＯＦＤＭシンボル］。
アクティブ化されたＳＣｅｌｌが未知でＦＲ２に属し、バンド内ＣＣ上にアクティブ化されたセルがない場合、Ｔactivation_timeは、［ＴＢＤ］。
アクティブ化されたＳＣｅｌｌが未知でＦＲ２に属し、バンド内ＣＣ上に少なくとも１つのアクティブ化されたセルがある場合、Ｔactivation_timeは、
−［３ｍｓ＋４＊ＳＭＴＣ周期＋４＊ＯＦＤＭシンボル］最初の試行でＳＣｅｌｌが成功裏に検出さた場合に提供される。
ＴCSI_reportingは、最初に利用可能なＣＳＩ報告リソースを取得する際の遅延不確実性である。
【０１０４】
図１０に示すように、いくつかの実施形態に従ったＵＥは、ＳＣｅｌｌアクティブ化コマンドを受信する（１００）。ＵＥは、同じアンテナアレイを共有するという点でＵＥがリソース制限を有する周波数範囲内に、アクティブ化されたセル（ＰＣｅｌｌ、ＰＳＣｅｌｌ、ＳＣｅｌｌ）が既に存在するかどうかをチェックする。存在すれば（１１０：Ｙｅｓ）、ＵＥは、アクティブなセルが既に使用しているのと同じＵＥのＲｘビームを使用しなければならないという制約の下で、ＳＣｅｌｌのアクティブ化を実行する（１２０）。後の時点で、新しいＳＣｅｌｌがアクティブ化された後、ＵＥは、ＵＥのＲｘビームを変更してもよいが、その後、アクティブ化されたすべてのセルからのフィードバック（スループット、信号品質、信号強度、チャネル状態情報など）に基づいて、ＵＥのＲｘビームを変更してもよい。いくつかの実施形態では、その後、リソース（例えば、ＲＸビーム）を共有するアクティブ化されたセルは、同じＲＸビーム設定を使用しなければならないので、ＲＸビーム設定の変更は、（その設定を使用している）アクティブ化されたセルのすべてに対して同時に変更されることを意味してもよい。
【０１０５】
同じアンテナアレイを共有するという点でＵＥがリソース制限を有する周波数範囲にアクティブ化セルが存在しない場合（１１０：Ｎｏ）、ＵＥは、どの空間方向から信号を受信するかという制限を受けることなく、ＳＣｅｌｌのアクティブ化を実行する（１３０）。したがって、このアクティブ化手順では、ＵＥは、最適なＲｘビームを決定するために、ＵＥのＲｘビーム掃引を行わなければならない場合がある。その結果、このアクティブ化手順は、より長い時間を要する可能性がある。
【０１０６】
ＵＥにおけるリソース制限の理由は、ＵＥのＲＦアーキテクチャ、例えば、ＵＥが複数のキャリア（例えば、ＰＣｅｌｌ、ＳＣｅｌｌ等）を受信するための１つの広帯域無線チェーンを有するか、または個々のキャリアを受信するための別個の受信機を有するかに依存する。例えば、キャリアが同じバンド内にあるか、または特定の範囲（Ｆｓ）内にある場合（例えば、４００ＭＨｚ以内）、または特定の周波数（Ｆｇ）によって分離されていない場合（例えば、Ｆｇ＝２００ＭＨｚ）、ＵＥは、同じ受信機を使用して複数のキャリアを受信することができ、したがって、ＵＥは、同じバンド内にあるか、またはＦｓ内にあるか、またはＦｇ以上によって分離されていない他のすべてのキャリアに対してＡＧＣ設定を使用することができる。これについては、以下のいくつかの例を用いて説明する。
【０１０７】
ある特定の例では、アクティブ化されているＳＣｅｌｌが既知でありＦＲ２に属している場合、（ｉ）アクティブ化されているＳＣｅｌｌとＰＣｅｌｌとが同じバンド内にある、（ｉｉ）アクティブ化されているＳＣｅｌｌとＰＳＣｅｌｌとが同じバンド内にある、（ｉｉｉ）アクティブ化されているＳＣｅｌｌと同じバンド内に少なくとも１つのアクティブ化されたＳＣｅｌｌが存在する、の条件のうち少なくとも１つが満たされている場合、Ｔactivation_timeは、以下に定義される通りとする：
ＳＣｅｌｌの測定周期が［１６０ｍｓ］以下であれば、［３ｍｓ＋１＊ＳＭＴＣ周期＋４＊ＯＦＤＭシンボル］。
ＳＣｅｌｌの測定周期が［１６０ｍｓ］よりも大きい場合、［３ｍｓ＋２＊ＳＭＴＣ周期＋４＊ＯＦＤＭシンボル］。
【０１０８】
一方、アクティブ化されるＳＣｅｌｌが未知でありＦＲ２に属している場合、（ｉ）アクティブ化されているＳＣｅｌｌとＰＣｅｌｌとが同じバンド内にある、（ｉｉ）アクティブ化されているＳＣｅｌｌとＰＳＣｅｌｌとが同じバンド内にある、（ｉｉｉ）アクティブ化されているＳＣｅｌｌと同じバンド内に少なくとも１つのアクティブ化されたＳＣｅｌｌが存在する、の条件のうち何れも満たされない場合は、Ｔactivation_timeは、［ＴＢＤ］。
【０１０９】
アクティブ化されるＳＣｅｌｌが未知でありＦＲ２に属している場合、（ｉ）アクティブ化されているＳＣｅｌｌとＰＣｅｌｌとが同じバンド内にある、（ｉｉ）アクティブ化されているＳＣｅｌｌとＰＳＣｅｌｌとが同じバンド内にある、（ｉｉｉ）アクティブ化されているＳＣｅｌｌと同じバンド内に少なくとも１つのアクティブ化されたＳＣｅｌｌが存在する、の条件のうち少なくとも１つが満たされている場合、Ｔactivation_timeは、以下に定義される通りとする：［３ｍｓ＋４＊ＳＭＴＣ周期＋４＊ＯＦＤＭシンボル］最初の試行でＳＣｅｌｌが成功裏に検出さた場合に提供される。
【０１１０】
別の（第２の）具体例では、アクティブ化されるＳＣｅｌｌが既知でありＦＲ２に属する場合、（ｉ）アクティブ化されているＳＣｅｌｌとＰＣｅｌｌとが特定の周波数範囲（Ｆｓ）内にある、（ｉｉ）アクティブ化されているＳＣｅｌｌとＰＳＣｅｌｌとがＦｓ内にある、（ｉｉｉ）アクティブ化されているＳＣｅｌｌが少なくとも１つありアクティブ化されているＳＣｅｌｌがＦｓ内に存在する、の条件のうち少なくとも１つが満たされている場合、Ｔactivation_timeは、以下に定義される通りとする：
ＳＣｅｌｌの測定周期が［１６０ｍｓ］以下であれば、［３ｍｓ＋１＊ＳＭＴＣ周期＋４＊ＯＦＤＭシンボル］。
ＳＣｅｌｌの測定周期が［１６０ｍｓ］よりも大きい場合、［３ｍｓ＋２＊ＳＭＴＣ周期＋４＊ＯＦＤＭシンボル］。
【０１１１】
アクティブ化されるＳＣｅｌｌが未知でありＦＲ２に属している場合、（ｉ）アクティブ化されているＳＣｅｌｌとＰＣｅｌｌとがＦｓ内にある、（ｉｉ）アクティブ化されているＳＣｅｌｌとＰＳＣｅｌｌとがＦｓ内にある、（ｉｉｉ）アクティブ化されているＳＣｅｌｌが少なくとも１つありアクティブ化されているＳＣｅｌｌがＦｓ内に存在する、の条件のうち何れも満たされない場合は、Ｔactivation_timeは、［ＴＢＤ］。
【０１１２】
アクティブ化されるＳＣｅｌｌが未知でありＦＲ２に属している場合、（ｉ）アクティブ化されているＳＣｅｌｌとＰＣｅｌｌとがＦｓ内にある、（ｉｉ）アクティブ化されているＳＣｅｌｌとＰＳＣｅｌｌとがＦｓ内にある、（ｉｉｉ）アクティブ化されているＳＣｅｌｌが少なくとも１つありアクティブ化されているＳＣｅｌｌがＦｓ内に存在する、の条件のうち少なくとも１つが満たされている場合、Ｔactivation_timeは、以下に定義される通りとする：［３ｍｓ＋４＊ＳＭＴＣ周期＋４＊ＯＦＤＭシンボル］最初の試行でＳＣｅｌｌが成功裏に検出さた場合に提供される。
【０１１３】
さらに別の（第３の）具体例では、アクティブ化されるＳＣｅｌｌが既知でありＦＲ２に属する場合、（ｉ）アクティブ化されているＳＣｅｌｌとＰＣｅｌｌとが同じバンドの特定の周波数範囲（Ｆｓ）内にある、（ｉｉ）アクティブ化されているＳＣｅｌｌとＰＳＣｅｌｌとが同じバンドのＦｓ内にある、（ｉｉｉ）アクティブ化されているＳＣｅｌｌが少なくとも１つありアクティブ化されているＳＣｅｌｌが同じバンドのＦｓ内に存在する、の条件のうち少なくとも１つが満たされている場合、Ｔactivation_timeは、以下に定義される通りとする：
ＳＣｅｌｌの測定周期が［１６０ｍｓ］以下であれば、［３ｍｓ＋１＊ＳＭＴＣ周期＋４＊ＯＦＤＭシンボル］。
ＳＣｅｌｌの測定周期が［１６０ｍｓ］よりも大きい場合、［３ｍｓ＋２＊ＳＭＴＣ周期＋４＊ＯＦＤＭシンボル］。
【０１１４】
アクティブ化されるＳＣｅｌｌが未知でありＦＲ２に属している場合、（ｉ）アクティブ化されているＳＣｅｌｌとＰＣｅｌｌとが同じバンドのＦｓ内にある、（ｉｉ）アクティブ化されているＳＣｅｌｌとＰＳＣｅｌｌとが同じバンドのＦｓ内にある、（ｉｉｉ）アクティブ化されているＳＣｅｌｌが少なくとも１つありアクティブ化されているＳＣｅｌｌが同じバンドのＦｓ内に存在する、の条件のうち何れも満たされない場合は、Ｔactivation_timeは、［ＴＢＤ］。
【０１１５】
アクティブ化されるＳＣｅｌｌが未知でありＦＲ２に属している場合、（ｉ）アクティブ化されているＳＣｅｌｌとＰＣｅｌｌとが同じバンドのＦｓ内にある、（ｉｉ）アクティブ化されているＳＣｅｌｌとＰＳＣｅｌｌとが同じバンドのＦｓ内にある、（ｉｉｉ）アクティブ化されているＳＣｅｌｌが少なくとも１つありアクティブ化されているＳＣｅｌｌが同じバンドのＦｓ内に存在する、の条件のうち少なくとも１つが満たされている場合、Ｔactivation_timeは、以下に定義される通りとする：［３ｍｓ＋４＊ＳＭＴＣ周期＋４＊ＯＦＤＭシンボル］最初の試行でＳＣｅｌｌが成功裏に検出さた場合に提供される。
【０１１６】
上記の例では、ＦＲ２に関して「既知」及び「未知」のセルという用語が使用されている。（Ｅ−ＵＴＲＡおよびＵＴＲＡにおける定義と同様に）ＦＲ１における定義は、ＵＥが一定の時間フレーム内でセルを検出し測定し報告したことおよびセルが検出可能なままであることに基づいている（３ＧＰＰ  ＴＳ  ３８．１３３のセクション８．３．２より）：ＦＲ１のＳＣｅｌｌは、ＳＣｅｌｌアクティブ化コマンドを受信する前のＦＲ１のｍａｘ（［５］ｍｅａｓＣｙｃｌｅＳＣｅｌｌ，［５］ＤＲＸサイクル）に等しい期間中に、（ｉ）アクティブ化中のＳＣｅｌｌに対してＵＥが有効な測定報告を送信している、（ｉｉ）測定されたＳＳＢがセル識別条件に従って検出可能である、（ｉｉｉ）ｍａｘ（［５］ｍｅａｓＣｙｃｌｅＳＣｅｌｌ，［５］ＤＲＸサイクル）に等しい期間に測定されたＳＳＢがセル識別条件に従ってＳＣｅｌｌアクティブ化遅延時間中も検出可能である、の条件を満たしていれば既知である。そうでなければ、ＦＲ１におけるＳＣｅｌｌは未知である。
【０１１７】
ＦＲ１における区別は、セルが既知である場合にアクティブ化手順においてバイパスされ得る特定のステップがあるために行われる。例えば、ＵＥは、セルのタイミングに関する詳細な情報を既に持っており、さらに、（利得設定及びＡＧＣに影響を与える）受信電力に関する詳細な情報を既に持っている。
【０１１８】
ＦＲ２に対応する定義は、ＵＥがＲｘビームを切り替えた場合（そして、その決定がバンドまたはサブバンド内の既にアクティブ化されたセルに基づいている場合）、アクティブ化されることになるＳＣｅｌｌが最後に測定された時点とＵＥがＳＣｅｌｌアクティブ化コマンドを受信した時点との間のどこかで、アクティブ化されることになるＳＣｅｌｌが受信できなくなる可能性があるという事実によって複雑になる可能性がある。しかし、ＵＥのリソース制限の下では、ＳＣｅｌｌはいずれにしても、既にアクティブ化されているセルとアグリゲートすることができない。この場合、アクティブ化は失敗につながり、ＴHARQ＋Ｔactivation_time＋ＴCSI_reporting（上記の仕様例を参照）の満了時にＵＥからの測定報告でＣＱＩゼロ（０）を受信することでｇＮＢはそれを認識することになる。この場合、アクティブ化されるＳＣｅｌｌが「既知」であるか「未知」であるかは関係ない。
【０１１９】
したがって、いくつかの実施形態では、ＦＲ２における定義は、同様に（例えば、ＦＲ１についての３ＧＰＰ  ＴＳ  ３８．１３３のセクション８．３．２に記載されているのと同様に）、ＵＥがある時間フレーム内でセルを検出し測定し報告したことおよび検出可能なままであること、に基づいている。
【０１２０】
いくつかの実施形態では、ＦＲ２に属するＳＣｅｌｌのための分割アクティブ化遅延要件を導入しており、それは、バンド内ＣＣ上に既にアクティブ化されたセルが存在する場合の要件の１セットと、そのようなアクティブ化されたセルが存在しない場合の要件の別のセットである。前者の場合については、ＵＥのＲｘビーム掃引が不要であると仮定され、したがって、ＦＲ１に対する要件が再利用される。そうでなければ、本明細書のいくつかの実施形態なしに、ＦＲ２のためのＳＣｅｌｌアクティブ化遅延コア要件は、負荷分散およびＵＥスループットの動的適応のためのバンド内ＣＡのケースが満足に動作するためには、あまりにも緩いものとなる。
【０１２１】
一般的に、その後、ＦＲ２に属するＳＣｅｌｌのアクティブ化遅延要件のコア要件は、ＵＥのＲｘビーム掃引の必要性および範囲を取り巻く疑義によって複雑になる。いくつかの実施形態では、ＦＲ２に属するＳＣｅｌｌをアクティブ化する際に、ＵＥのＲｘビーム掃引が許可されないか、または必要とされない場合があることを認識している。
【０１２２】
特に、１つのアプローチは、ＳＣｅｌｌが既知であるか未知であるかにかかわらず、ＵＥのＲｘビーム掃引を要求することであろう。いくつかの実施形態では、これはバンド間キャリアアグリゲーションに適用されるかもしれないが、バンド内キャリアアグリゲーション（この場合、アクティブ化されることになるＳＣｅｌｌが属するＦＲ２バンド内に既に１つのアクティブ化されたＣＣが存在する）には必要ないと考えられる。その理由は、ＦＲ２のベースラインとしてアナログビームフォーミングが想定されているため、ベースラインＵＥは各アンテナアレイから一度に一方向からしか受信できないからである。さらに、ベースラインとして、同じアンテナアレイが全バンドにサービスを提供していると仮定してもよい。これは、既にアクティブ化されたバンド内の近隣ＳＣｅｌｌの接続性の維持を保証するためには、追加されることになるＳＣｅｌｌは同じ方向から受信されなければならないことを意味し、アクティブ化中にＵＥのＲｘビーム掃引が必要ないことを意味する。言い換えれば、アクティブ化中、ＳＣｅｌｌは、その周波数バンドで既にアクティブ化されているＳＣｅｌｌのためにビーム管理機能によって選択されたＵＥのＲｘビームを使用しなければならない。
【０１２３】
したがって、ＦＲ２でのＳＣｅｌｌのアクティブ化の間、いくつかの実施形態では、バンド内ＣＣで既にアクティブ化されたＳＣｅｌｌとの接続性を維持することが優先される。したがって、アクティブ化されることになるＳＣｅｌｌは、既にアクティブ化されたＳＣｅｌｌに使用されるのと同じＵＥのＲｘビームを使用するものとする。結果として、いくつかの実施形態では、ＦＲ２でのＳＣｅｌｌのアクティブ化遅延コア要件を２つの場合に分けることが提案されている：（ｉ）他のアクティブ化されたバンド内ＣＣを有するＳＣｅｌｌのアクティブ化、および（ｉｉ）他のアクティブ化されたバンド内ＣＣを有しないＳＣｅｌｌのアクティブ化である。前者の場合は、ＵＥのＲｘビーム掃引が不要であることを要件とし、後者の場合は、ＵＥのＲｘビーム掃引が必要であることを要件としてもよい。
【０１２４】
別の提案として、ＦＲ２でのＳＣｅｌｌのアクティブ化遅延コア要件は、いくつかの実施形態では、２つのケースに分割される：バンド内ＣＣ上の他のアクティブ化されたセルを有するＳＣｅｌｌのアクティブ化と、他のアクティブ化されたセルを有さないＳＣｅｌｌのアクティブ化である。前者のケースでは、要件は、アクティブ化の間にＵＥのＲｘビーム掃引が行われないことを前提としている。
【０１２５】
ＳＣｅｌｌのアクティブ化遅延要件に関して、いくつかの実施形態では、バンド内ＣＣ上にアクティブ化されたセルが存在する場合については、上述のようにＦＲ１での要件を再利用することを提案している。
【０１２６】
別の提案として、バンド内ＣＣ上に少なくとも１つのアクティブなセルが存在する場合のＦＲ２でのＳＣｅｌｌのアクティブ化については、ＦＲ１でのアクティブ化遅延要件を再利用することができる。
【０１２７】
本明細書に記載された主題は、任意の適切な構成要素を使用して任意の適切なタイプのシステムで実装されてもよいが、本明細書に開示された実施形態は、図１１に図示された例示的な無線ネットワークのような無線ネットワークに関連して記載されている。単純化のために、図１１の無線ネットワークは、ネットワーク１１０６、ネットワークノード１１６０および１１６０ｂ、およびＷＤ１１１０、１１１０ｂ、および１１１０ｃのみを図示している。実際には、無線ネットワークは、無線デバイス間の通信、または無線デバイスと固定電話、サービスプロバイダ、または任意の他のネットワークノードまたはエンドデバイスなどの他の通信デバイスとの間の通信をサポートするのに適した任意の追加要素をさらに含んでもよい。図示された構成要素のうち、ネットワークノード１１６０および無線デバイス（ＷＤ）１１１０がさらに詳細に描かれている。無線ネットワークは、無線デバイスの無線ネットワークによって提供されるサービスへのアクセスおよび／または無線ネットワークを介したサービスの使用を容易にするために、通信および他のタイプのサービスを１つ以上の無線デバイスに提供してもよい。
【０１２８】
無線ネットワークは、任意のタイプの通信、電気通信、データ、セルラー、および／または無線ネットワーク、または他の類似のタイプのシステムとのインタフェースを構成してもよい。いくつかの実施形態では、無線ネットワークは、特定の規格または他のタイプの事前に定義された規則または手順に従って動作するように構成されてもよい。したがって、無線ネットワークの特定の実施形態は、移動通信のグローバルシステム（ＧＳＭ）、ユニバーサル移動通信システム（ＵＭＴＳ）、ロングタームエボリューション（ＬＴＥ）、狭帯域インターネットオブシングス（ＮＢ−ＩｏＴ）、および／または他の適切な２Ｇ、３Ｇ、４Ｇ、または５Ｇ規格などの通信規格、ＩＥＥＥＥ８０２．１１規格などの無線ローカルエリアネットワーク（ＷＬＡＮ）規格；および／または、マイクロ波アクセスのための世界相互運用性（ＷｉＭａｘ）、Ｂｌｕｅｔｏｏｔｈ（登録商標）、Ｚ−Ｗａｖｅおよび／またはＺｉｇＢｅｅ規格などの他の適切な無線通信規格に実施し得る。
【０１２９】
ネットワーク１１０６は、デバイス間の通信を可能にするために、１つまたは複数のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および他のネットワークから構成されていてもよい。
【０１３０】
ネットワークノード１１６０およびＷＤ１１１０は、以下に詳細に説明する各種構成要素を構成する。これらの構成要素は、無線ネットワークにおける無線接続の提供など、ネットワークノードおよび／または無線デバイスの機能を提供するために協働する。異なる実施形態では、無線ネットワークは、有線または無線ネットワーク、ネットワークノード、基地局、コントローラ、無線デバイス、中継局、および／または有線接続または無線接続を介してデータおよび／または信号の通信を容易にするか、またはそれに参加する任意の数の他の構成要素またはシステムで構成されてもよい。
【０１３１】
本明細書で使用される場合、ネットワークノードは、無線デバイスおよび／または無線ネットワーク内の他のネットワークノードまたは装置と直接的または間接的に通信し、無線デバイスへの無線アクセスを有効化および/または提供し、および／または無線ネットワーク内の他の機能（管理など）を実行することが可能であり、構成され、配置され、および／または動作可能な装置を指す。ネットワークノードの例としては、アクセスポイント（ＡＰ）（例えば、無線アクセスポイント）、基地局（ＢＳ）（例えば、無線基地局、ノードＢ、進化型ノードＢ、およびＮＲノードＢ（ｇＮＢ））が挙げられるが、これらに限定されない。基地局は、それらが提供するカバレッジの量（または、別の言い方をすれば、それらの送信電力レベル）に基づいて分類されてもよく、フェムト基地局、ピコ基地局、マイクロ基地局、またはマクロ基地局と呼ばれてもよい。基地局は、中継ノードまたは中継を制御する中継ドナーノードであってもよい。ネットワークノードはまた、集中デジタルユニットおよび／またはリモート無線ユニット（ＲＲＵ）（リモート無線ヘッド（ＲＲＨ）と呼ばれることもある）などの分散型無線基地局の１つまたは複数（またはすべて）の部分を含んでもよい。そのような遠隔無線ユニットは、アンテナ一体型無線機としてアンテナと一体化されていてもよいし、一体化されていなくてもよい。分散型無線基地局の一部は、分散型アンテナシステム（ＤＡＳ）のノードと呼ばれることもある。さらに別の例として、ネットワークノードは、ＭＳＲ＿ＢＳなどのマルチスタンダード無線（ＭＳＲ）機器、無線ネットワークコントローラ（ＲＮＣ）または基地局コントローラ（ＢＳＣ）などのネットワークコントローラ、基地送受信局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。別の例として、ネットワークノードは、以下でより詳細に説明するように、仮想ネットワークノードであってもよい。しかしながら、より一般的には、ネットワークノードは、無線デバイスに無線ネットワークへのアクセスを可能および／または提供するために、または無線ネットワークにアクセスした無線デバイスに 何らかのサービスを提供するよう、構成され、配置され、および／または動作可能な任意の適切なデバイス（またはデバイスのグループ）を表すことができる。 
【０１３２】
図１１において、ネットワークノード１１６０は、処理回路１１７０、デバイス可読媒体１１８０、インタフェース１１９０、補助装置１１８４、電源１１８６、電源回路１１８７、アンテナ１１６２を含む。図１１の例示的な無線ネットワークに図示されたネットワークノード１１６０は、図示されたハードウェア構成要素の組み合わせを含むデバイスを表してもよいが、他の実施形態では、構成要素の異なる組み合わせを有するネットワークノードを構成してもよい。ネットワークノードは、本明細書に開示されたタスク、特徴、機能、および方法を実行するために必要なハードウェアおよび／またはソフトウェアの任意の適切な組み合わせから構成されることが理解されるであろう。さらに、ネットワークノード１１６０の構成要素は、より大きなボックス内に配置された単一のボックスとして、または複数のボックス内に入れ子状に配置されたボックスとして描かれているが、実際には、ネットワークノードは、図示された単一の構成要素を構成する複数の異なる物理的構成要素から構成されてもよい（例えば、デバイス可読媒体１１８０は、複数の独立したハードドライブおよび複数のＲＡＭモジュールから構成されてもよい）。
【０１３３】
同様に、ネットワークノード１１６０は、複数の物理的に分離した構成要素（例えば、ＮｏｄｅＢ構成要素とＲＮＣ構成要素、またはＢＴＳ構成要素とＢＳＣ構成要素など）で構成されていてもよく、これらの構成要素は、それぞれ、固有の構成要素を有していてもよい。ネットワークノード１１６０が複数の別個の構成要素（例えば、ＢＴＳ構成要素およびＢＳＣ構成要素）を構成する特定のシナリオでは、別個の構成要素のうちの１つまたは複数が、複数のネットワークノード間で共有されてもよい。例えば、単一のＲＮＣが複数のＮｏｄｅＢを制御してもよい。そのようなシナリオでは、それぞれのユニークなＮｏｄｅＢとＲＮＣのペアは、いくつかの実施形態では、単一の別個のネットワークノードとみなされてもよい。いくつかの実施形態では、ネットワークノード１１６０は、複数の無線アクセス技術（ＲＡＴ）をサポートするように構成されてもよい。そのような実施形態では、一部の構成要素は重複していてもよく（例えば、異なるＲＡＴのための別個のデバイス可読媒体１１８０）、一部の構成要素は再利用されてもよい（例えば、同じアンテナ１１６２がＲＡＴによって共有されてもよい）。ネットワークノード１１６０はまた、ネットワークノード１１６０に統合された異なる無線技術、例えば、ＧＳＭ、ＷＣＤＭＡ、ＬＴＥ、ＮＲ、ＷｉＦｉ、またはＢｌｕｅｔｏｏｏｔｈなどの無線技術のための様々な図示された構成要素の複数のセットを含んでもよい。これらの無線技術は、ネットワークノード１１６０内の同じチップまたは異なるチップのセットおよび他の構成要素に統合されてもよい。
【０１３４】
処理回路１１７０は、ネットワークノードによって提供されるものとして本明細書に記載されている任意の決定、計算、または類似の動作（例えば、特定の取得動作）を実行するように構成され得る。処理回路１１７０によって実行されるこれらの動作は、例えば、得られた情報を他の情報に変換すること、得られた情報または変換された情報をネットワークノードに格納された情報と比較すること、および／または得られた情報または変換された情報に基づいて１つ以上の動作を実行することによって処理回路１１７０によって得られた情報を処理すること、および処理の結果として決定を行うことを含んでもよい。
【０１３５】
処理回路１１７０は、マイクロプロセッサ、コントローラ、マイクロコントローラ、中央処理装置、デジタル信号プロセッサ、特定用途向け集積回路、フィールドプログラマブルゲートアレイ、または他の適切なコンピューティングデバイス、リソース、またはハードウェア、ソフトウェア、および／または符号化された論理の組み合わせのうちの１つ以上の組み合わせで構成されていてもよく、単独で、または他のネットワークノード１１６０の構成要素、例えばデバイス可読媒体１１８０、ネットワークノード１１６０の機能を提供するために動作可能なものである。例えば、処理回路１１７０は、デバイス可読媒体１１８０に格納された命令を実行してもよいし、処理回路１１７０内のメモリに格納された命令を実行してもよい。そのような機能性は、本明細書で議論される様々な無線機能、機能、または利点のいずれかを提供することを含んでもよい。いくつかの実施形態では、処理回路１１７０は、システムオンチップ（ＳＯＣ）を含んでもよい。
【０１３６】
いくつかの実施形態では、処理回路１１７０は、無線周波数（ＲＦ）送受信機回路１１７２およびベースバンド処理回路１１７４のうちの１つまたは複数を含んでもよい。いくつかの実施形態では、無線周波数（ＲＦ）送受信機回路１１７２およびベースバンド処理回路１１７４は、無線ユニットおよびデジタルユニットなどの別個のチップ（またはチップのセット）、基板、またはユニット上にあってもよい。代替の実施形態では、ＲＦ送受信機回路１１７２およびベースバンド処理回路１１７４の一部または全部が、同じチップまたはチップ、基板、またはユニットのセット上にあってもよい。
【０１３７】
特定の実施形態では、ネットワークノード、基地局、ｅＮＢまたは他のそのようなネットワークデバイスによって提供されるものとして本明細書に記載された機能の一部またはすべては、処理回路１１７０が、デバイス可読媒体１１８０または処理回路１１７０内のメモリに格納された命令を実行することによって実行されてもよい。代替の実施形態では、機能の一部またはすべては、ハードワイヤード方式などの別個のまたは離散的なデバイス可読媒体に格納された命令を実行することなく、処理回路１１７０によって提供されてもよい。それらの実施形態のいずれかにおいて、デバイス可読記憶媒体に格納された命令を実行するか否かにかかわらず、処理回路１１７０は、記載された機能性を実行するように構成され得る。このような機能性によって提供される利点は、処理回路１１７０単独またはネットワークノード１１６０の他の構成要素に限定されるものではなく、ネットワークノード１１６０全体、および／またはエンドユーザおよび無線ネットワーク一般によって享受される。
【０１３８】
デバイス可読媒体１１８０は、揮発性または不揮発性のコンピュータ可読メモリの任意の形態で構成されてもよく、永続記憶装置、ソリッドステートメモリ、リモートマウントメモリ、磁気媒体、光学媒体、ランダムアクセスメモリ（ＲＡＭ）、読み取り専用メモリ（ＲＯＭ）、大容量記憶媒体（例えば、ハードディスク）、リムーバブル記憶媒体（例えば、フラッシュドライブ、コンパクトディスク（ＣＤ）またはデジタルビデオディスク（ＤＶＤ））、および／または処理回路１１７０によって使用され得る情報、データ、および／または命令を格納する他の任意の揮発性または不揮発性の、非一時的デバイス可読媒体および／またはコンピュータ実行可能な記憶装置を含むが、これに限定されない。デバイス可読媒体１１８０は、コンピュータプログラム、ソフトウェア、ロジック、ルール、コード、テーブルなどの１つまたは複数を含むアプリケーション、および／または処理回路１１７０によって実行され、ネットワークノード１１６０によって利用されることが可能な他の命令を含む、任意の適切な命令、データまたは情報を格納することができる。デバイス可読媒体１１８０は、処理回路１１７０および／またはインタフェース１１９０を介して受信された任意のデータによって行われた任意の計算を格納するために使用されてもよい。いくつかの実施形態では、処理回路１１７０およびデバイス可読媒体１１８０は、統合されていると考えられてもよい。
【０１３９】
インタフェース１１９０は、ネットワークノード１１６０、ネットワーク１１０６、および／またはＷＤ１１１０間のシグナリングおよび／またはデータの有線または無線通信で使用される。図示されているように、インタフェース１１９０は、例えば有線接続を介してネットワーク１１０６との間でデータを送受信するためのポート（複数可）／端末（複数可）１１９４を構成する。インタフェース１１９０はまた、アンテナ１１６２に結合されるか、または特定の実施形態ではアンテナ１１６２の一部である無線フロントエンド回路１１９２を含む。無線フロントエンド回路１１９２は、フィルタ１１９８および増幅器１１９６を含む。無線フロントエンド回路１１９２は、アンテナ１１６２および処理回路１１７０に接続されてもよい。無線フロントエンド回路は、アンテナ１１６２と処理回路１１７０との間で通信される信号を条件付けするように構成されていてもよい。無線フロントエンド回路１１９２は、無線接続を介して他のネットワークノードまたはＷＤに送信されることになるデジタルデータを受信してもよい。無線フロントエンド回路１１９２は、フィルタ１１９８および／または増幅器１１９６の組み合わせを使用して、デジタルデータを適切なチャネルおよびバンド幅パラメータを有する無線信号に変換してもよい。そして、無線信号は、アンテナ１１６２を介して送信されてもよい。同様に、データを受信する場合、アンテナ１１６２は、無線フロントエンド回路１１９２によってデジタルデータに変換される無線信号を収集してもよい。デジタルデータは、処理回路１１７０に渡されてもよい。他の実施形態では、インタフェースは、異なる構成要素および／または構成要素の異なる組み合わせで構成されてもよい。
【０１４０】
特定の代替的な実施形態では、ネットワークノード１１６０は、別個の無線フロントエンド回路１１９２を含んでいなくてもよく、代わりに、処理回路１１７０は、無線フロントエンド回路を構成してもよく、別個の無線フロントエンド回路１１９２を含まずにアンテナ１１６２に接続されていてもよい。同様に、いくつかの実施形態では、ＲＦ送受信機回路１１７２の全部または一部は、インタフェース１１９０の一部とみなされてもよい。まだ他の実施形態では、インタフェース１１９０は、無線ユニット（図示せず）の一部として、１つまたは複数のポートまたは端子１１９４、無線フロントエンド回路１１９２、およびＲＦ送受信機回路１１７２を含んでもよく、インタフェース１１９０は、デジタルユニット（図示せず）の一部であるベースバンド処理回路１１７４と通信してもよい。
【０１４１】
アンテナ１１６２は、無線信号を送信および／または受信するように構成された１つ以上のアンテナ、またはアンテナアレイを含んでもよい。アンテナ１１６２は、無線フロントエンド回路１１９０に結合されてもよく、データおよび／または信号を無線で送受信することができる任意のタイプのアンテナであってもよい。いくつかの実施形態では、アンテナ１１６２は、例えば２ＧＨｚと６６ＧＨｚの間で無線信号を送受信するために動作可能な１つ以上の無指向性アンテナ、セクタアンテナ、またはパネルアンテナを構成してもよい。無指向性アンテナは、任意の方向の無線信号を送受信するために使用されてもよく、セクターアンテナは、特定の領域内のデバイスからの無線信号を送受信するために使用されてもよく、パネルアンテナは、無線信号を比較的直線的に送受信するために使用される視線アンテナであってもよい。いくつかの実施形態では、複数のアンテナの使用は、ＭＩＭＯと呼ばれてもよい。特定の実施形態では、アンテナ１１６２は、ネットワークノード１１６０から分離されていてもよく、インタフェースまたはポートを介してネットワークノード１１６０に接続可能であってもよい。
【０１４２】
アンテナ１１６２、インタフェース１１９０、および／または処理回路１１７０は、ネットワークノードによって実行されるものとして本明細書に記載されている任意の受信動作および／または特定の取得動作を実行するように構成されてもよい。任意の情報、データおよび／または信号は、無線デバイス、別のネットワークノード、および／または任意の他のネットワーク機器から受信されてもよい。同様に、アンテナ１１６２、インタフェース１１９０、および／または処理回路１１７０は、ネットワークノードによって実行されるものとして本明細書に記載されている任意の送信動作を実行するように構成されていてもよい。任意の情報、データおよび／または信号は、無線デバイス、別のネットワークノード、および／または任意の他のネットワーク機器に送信されてもよい。
【０１４３】
電力回路１１８７は、電力管理回路を構成してもよく、またはそれに結合されてもよく、ネットワークノード１１６０の構成要素に、本明細書に記載された機能を実行するための電力を供給するように構成されている。電力回路１１８７は、電源１１８６から電力を受け取ってもよい。電源１１８６および／または電源回路１１８７は、それぞれの構成要素に適した形で（例えば、それぞれの構成要素に必要とされる電圧および電流レベルで）ネットワークノード１１６０の様々な構成要素に電力を供給するように構成されてもよい。電源１１８６は、電源回路１１８７および／またはネットワークノード１１６０に含まれていてもよいし、外部にあってもよい。例えば、ネットワークノード１１６０は、入力回路または電気ケーブルなどのインタフェースを介して外部電源（例えば、コンセント）に接続可能であってもよく、それにより、外部電源は電源回路１１８７に電力を供給する。さらなる例として、電源１１８６は、電源回路１１８７に接続されているか、または電源回路１１８７に統合されている電池または電池パックの形態の電源で構成されてもよい。バッテリは、外部電源が故障した場合にバックアップ電力を提供してもよい。また、光起電力デバイスのような他のタイプの電源を使用してもよい。
【０１４４】
ネットワークノード１１６０の代替的な実施形態は、本明細書に記載された機能のいずれかおよび／または本明細書に記載された主題をサポートするために必要な機能のいずれかを含む、ネットワークノードの機能の特定の側面を提供するために責任を負うことができる、図１１に示されたものを超えた追加の構成要素を含んでもよい。例えば、ネットワークノード１１６０は、ネットワークノード１１６０への情報の入力を可能にし、ネットワークノード１１６０からの情報の出力を可能にするためのユーザインタフェース装置を含んでもよい。これにより、ユーザは、ネットワークノード１１６０の診断、保守、修理、および他の管理機能を実行することが可能にするようにしてもよい。
【０１４５】
本明細書で使用される場合、無線デバイス（ＷＤ）は、ネットワークノードおよび／または他の無線デバイスと無線で通信することが可能であり、構成され、配置され、および／または動作可能であるデバイスを指す。特に断りのない限り、ＷＤという用語は、本明細書ではユーザー装置（ＵＥ）と互換的に使用される場合がある。無線で通信することは、電磁波、電波、赤外線、および／または空気を介して情報を伝達するのに適した他のタイプの信号を使用して、無線信号を送信および／または受信することを含み得る。 いくつかの実施形態では、ＷＤは、人間の直接的な相互作用なしに情報を送信および／または受信するように構成されてもよい。例えば、ＷＤは、内部イベントまたは外部イベントによってトリガされたとき、またはネットワークからの要求に応答して、所定のスケジュールでネットワークに情報を送信するように構成されてもよい。ＷＤの例としては、スマートフォン、携帯電話、セル電話、ボイスオーバーＩＰ（ＶｏＩＰ）電話、無線ローカルループ電話、デスクトップコンピュータ、パーソナルデジタルアシスタント（ＰＤＡ）、無線カメラ、ゲーム機または装置、音楽ストレージ装置、再生装置、ウェアラブル端末装置、無線エンドポイント、モバイルステーション、タブレット、ラップトップ、ラップトップ内蔵装置（ＬＥＥ）、ラップトップ搭載装置（ＬＭＥ）、スマートデバイス、無線顧客宅内装置（ＣＰＥ）、車載型無線端末装置などが挙げられるが、これらに限定されるものではない。ＷＤは、例えば、サイドリンク通信、車両間通信（Ｖ２Ｖ）、車両対インフラストラクチャ（Ｖ２Ｉ）、車両対任意物通信（Ｖ２Ｘ）のための３ＧＰＰ規格を実装することによって、デバイス間通信（Ｄ２Ｄ）をサポートしてもよく、この場合、Ｄ２Ｄ通信装置と呼ばれてもよい。さらに他の具体例として、モノのインターネット（ＩｏＴ）シナリオにおいて、ＷＤは、監視および／または測定を実行し、そのような監視および／または測定の結果を他のＷＤおよび／またはネットワークノードに送信する機械または他の装置を表してもよい。この場合、ＷＤは、３ＧＰＰの文脈ではＭＴＣデバイスと呼ばれるマシンツーマシン（Ｍ２Ｍ）デバイスであってもよい。特定の例として、ＷＤは、３ＧＰＰのナローバンドインターネットオブシングス（ＮＢ−ＩｏＴ）標準を実装したＵＥであり得る。このような機械または装置の特に例としては、センサー、電力計などの計量装置、産業機械、または家庭用または個人用の電化製品（冷蔵庫、テレビなど）個人用ウェアラブル（時計、フィットネストラッカーなど）がある。他の態様では、ＷＤは、その動作状態またはその動作に関連する他の機能を監視および／または報告することができる車両または他の装置を表してもよい。上述のようなＷＤは、無線接続のエンドポイントを表してもよく、この場合、装置は無線端末と呼ばれてもよい。さらに、上述したようなＷＤは、移動可能であってもよく、その場合には、移動装置または移動端末と呼ばれてもよい。
【０１４６】
図示されているように、無線デバイス１１１０は、アンテナ１１１１、インタフェース１１１４、処理回路１１２０、デバイス可読媒体１１３０、ユーザインタフェース装置１１３２、補助装置１１３４、電源１１３６、および電源回路１１３７を含む。ＷＤ１１１０は、ＷＤ１１１０によってサポートされる異なる無線技術、例えば、いくつかを挙げるとすれば、例えば、ＧＳＭ、ＷＣＤＭＡ、ＬＴＥ、ＮＲ、ＷｉＦｉ、ＷｉＭＡＸ、ＮＢ−ＩｏＴ、またはＢｌｕｅｔｏｏｏｔｈの無線技術のような、図示された１つ以上の構成要素の複数のセットを含んでもよい。これらの無線技術は、ＷＤ１１１０内の他の構成要素と同じチップまたは異なるチップのセットに統合されていてもよい。
【０１４７】
アンテナ１１１１は、無線信号を送信および／または受信するように構成された１つ以上のアンテナまたはアンテナアレイを含んでもよく、インタフェース１１１４に接続される。特定の代替実施形態では、アンテナ１１１１は、ＷＤ１１１０から分離され、インタフェースまたはポートを介してＷＤ１１１０に接続可能であってもよい。アンテナ１１１１、インタフェース１１１４、および／または処理回路１１２０は、ＷＤによって実行されるものとして本明細書に記載されている任意の受信または送信動作を実行するように構成されてもよい。任意の情報、データおよび／または信号は、ネットワークノードおよび／または別のＷＤから受信されてもよい。いくつかの実施形態では、無線フロントエンド回路および／またはアンテナ１１１１は、インタフェースと見なされてもよい。
【０１４８】
図示されているように、インタフェース１１１４は、無線フロントエンド回路１１１２およびアンテナ１１１１を含む。無線フロントエンド回路１１１２は、１つ以上のフィルタ１１１８および増幅器１１１６を構成する。無線フロントエンド回路１１１４は、アンテナ１１１１および処理回路１１２０に接続されており、アンテナ１１１１と処理回路１１２０との間で通信される信号を条件付けるように構成されている。無線フロントエンド回路１１１２は、アンテナ１１１１に結合されていてもよいし、アンテナ１１１１の一部であってもよい。いくつかの実施形態では、ＷＤ１１１０は、別個の無線フロントエンド回路１１１２を含んでいなくてもよく、むしろ、処理回路１１２０は、無線フロントエンド回路を構成してもよく、アンテナ１１１１に接続されてもよい。同様に、いくつかの実施形態では、ＲＦ送受信機回路１１２２の一部または全部が、インタフェース１１１４の一部とみなされてもよい。無線フロントエンド回路１１１２は、無線接続を介して他のネットワークノードまたはＷＤに送信されることになるデジタルデータを受信してもよい。無線フロントエンド回路１１１２は、フィルタ１１１８および／または増幅器１１１６の組み合わせを使用して、デジタルデータを適切なチャネルおよびバンド幅パラメータを有する無線信号に変換してもよい。そして、無線信号は、アンテナ１１１１を介して送信されてもよい。同様に、データを受信する場合、アンテナ１１１１は、無線フロントエンド回路１１１２によってデジタルデータに変換される無線信号を収集してもよい。デジタルデータは、処理回路１１２０に渡されてもよい。他の実施形態では、インタフェースは、異なる構成要素および／または構成要素の異なる組み合わせで構成されてもよい。
【０１４９】
処理回路１１２０は、マイクロプロセッサ、コントローラ、マイクロコントローラ、中央処理装置、デジタル信号プロセッサ、特定用途向け集積回路、フィールドプログラマブルゲートアレイ、または他の任意の適切なコンピューティングデバイス、リソース、またはハードウェア、ソフトウェア、および／または符号化された論理の組み合わせのうちの１つ以上の組み合わせで構成されてもよく、単独で、または他のＷＤ１１１０の構成要素、例えばデバイス可読媒体１１３０のようなＷＤ１１１０の機能性を提供するために動作可能である。このような機能性は、本明細書で議論される様々な無線機能または利点のいずれかを提供することを含むことができる。例えば、処理回路１１２０は、本明細書に開示された機能を提供するために、デバイス可読媒体１１３０に格納された命令を実行してもよいし、処理回路１１２０内のメモリに格納された命令を実行してもよい。
【０１５０】
図示されているように、処理回路１１２０は、ＲＦ送受信機回路１１２２、ベースバンド処理回路１１２４、およびアプリケーション処理回路１１２６のうちの１つまたは複数を含む。他の実施形態では、処理回路は、異なる構成要素および／または構成要素の異なる組み合わせで構成されてもよい。特定の実施形態では、ＷＤ１１１０の処理回路１１２０は、ＳＯＣを構成してもよい。いくつかの実施形態では、ＲＦ送受信機回路１１２２、ベースバンド処理回路１１２４、およびアプリケーション処理回路１１２６は、別個のチップまたはチップのセット上にあってもよい。代替的な実施形態では、ベースバンド処理回路１１２４およびアプリケーション処理回路１１２６の一部または全部が、１つのチップまたはチップセットに結合されてもよく、ＲＦ送受信機回路６Ｑ１２２は、別個のチップまたはチップセット上にあってもよい。まだ別の代替的な実施形態では、ＲＦ送受信機回路１１２２およびベースバンド処理回路１１２４の一部または全部が同じチップまたはチップセット上にあってもよく、アプリケーション処理回路１１２６が別個のチップまたはチップセット上にあってもよい。まだ他の代替的な実施形態では、ＲＦ送受信機回路１１２２、ベースバンド処理回路１１２４、およびアプリケーション処理回路１１２６の一部または全部が、同じチップまたはチップセットに結合されていてもよい。いくつかの実施形態では、ＲＦ送受信機回路１１２２は、インタフェース１１１４の一部であってもよい。ＲＦ送受信機回路１１２２は、処理回路１１２０のためにＲＦ信号を条件付けしてもよい。
【０１５１】
特定の実施形態では、ＷＤによって実行されるものとして本明細書に記載されている機能の一部または全部は、処理回路１１２０が、デバイス可読媒体１１３０に格納された命令を実行することによって提供されてもよく、これは、特定の実施形態では、コンピュータ可読記憶媒体であってもよい。代替の実施形態では、機能の一部または全部は、ハードワイヤード方式などの別個のまたは個別のデバイス可読記憶媒体に格納された命令を実行することなく、処理回路１１２０によって提供されてもよい。それらの特定の実施形態のいずれかにおいて、デバイス可読記憶媒体に格納された命令を実行するか否かにかかわらず、処理回路１１２０は、記載された機能を実行するように構成され得る。このような機能性によって提供される利点は、処理回路１１２０単独またはＷＤ１１１０の他の構成要素に限定されるものではなく、ＷＤ１１１０全体として、および／またはエンドユーザおよび一般的な無線ネットワークによって享受される。
【０１５２】
処理回路１１２０は、ＷＤによって実行されるものとして本明細書に記載されている任意の決定、計算、または類似の動作（例えば、特定の取得動作）を実行するように構成されていてもよい。処理回路１１２０によって実行されるこれらの動作は、例えば、得られた情報を他の情報に変換することによって処理回路１１２０によって得られた情報を処理すること、得られた情報または変換された情報をＷＤ１１１０によって記憶された情報と比較すること、および／または得られた情報または変換された情報に基づいて１つ以上の動作を実行すること、および処理の結果として決定を行うことを含んでいてもよい。
【０１５３】
デバイス可読媒体１１３０は、コンピュータプログラム、ソフトウェア、ロジック、ルール、コード、テーブルなどの１つまたは複数を含むアプリケーション、および／または処理回路１１２０によって実行されることが可能な他の命令を格納するために動作可能であってもよい。デバイス可読媒体１１３０は、コンピュータメモリ（例えば、ランダムアクセスメモリ（ＲＡＭ）またはリードオンリーメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および／または処理回路１１２０によって使用され得る情報、データ、命令を記憶することができる他の任意の揮発性または不揮発性、非一時的デバイス可読および／またはコンピュータ実行可能なメモリデバイスを含む。いくつかの実施形態では、処理回路１１２０およびデバイス可読媒体１１３０は、統合されていると考えられてもよい。
【０１５４】
ユーザインタフェース装置１１３２は、人間のユーザがＷＤ１１１０と相互作用することを可能にする構成要素を提供し得る。そのような相互作用は、視覚的、聴覚的、触覚的などの多くの形態であってもよい。ユーザインタフェース装置１１３２は、ユーザへの出力を生成し、ユーザがＷＤ１１１０に入力を提供することを可能にするように動作可能であってもよい。インタラクションの種類は、ＷＤ１１１０に設置されているユーザインタフェース装置１１３２の種類に応じて変化してもよい。例えば、ＷＤ１１１０がスマートフォンである場合、インタラクションはタッチスクリーンを介して行われてもよく、ＷＤ１１１０がスマートメータである場合、インタラクションは、使用量（例えば、使用されたガロン数）を提供する画面を介して行われてもよいし、音声によるアラート（例えば、煙が検出された場合）を提供するスピーカを介して行われてもよい。ユーザインタフェース装置１１３２は、入力インタフェース、装置及び回路、並びに出力インタフェース、装置及び回路を含んでもよい。ユーザインタフェース装置１１３２は、ＷＤＱ１１０への情報の入力を可能にするように構成され、処理回路１１２０に接続され、処理回路１１２０が入力された情報を処理することを可能にする。ユーザインタフェース装置１１３２は、例えば、マイク、近接または他のセンサ、キー／ボタン、タッチディスプレイ、１つまたは複数のカメラ、ＵＳＢポート、または他の入力回路を含んでもよい。また、ユーザインタフェース装置１１３２は、処理回路１１２０が、ＷＤ１１１０からの情報の出力を可能にするように構成されている。ユーザインタフェース装置１１３２は、例えば、スピーカ、ディスプレイ、振動回路、ＵＳＢポート、ヘッドフォンインタフェース、または他の出力回路を含んでいてもよい。ユーザインタフェース装置１１３２の１つ以上の入力インタフェース、出力インタフェース、装置、および回路を使用して、ＷＤ１１１０は、エンドユーザおよび／または無線ネットワークと通信して、本明細書に記載された機能の恩恵を受けることが可能にするようにしてもよい。
【０１５５】
補助装置１１３４は、ＷＤによって一般的に実行されないかもしれないより特定の機能を提供するために動作可能である。これは、様々な目的のために測定を行うための特殊なセンサ、有線通信などの付加的なタイプの通信のためのインタフェースなどで構成されてもよい。補助装置１１３４の構成要素の包含およびタイプは、実施形態および／またはシナリオに応じて変化してもよい。
【０１５６】
電源１１３６は、いくつかの実施形態では、バッテリまたはバッテリパックの形態であってもよい。他のタイプの電源、例えば、外部電源（例えば、電気コンセント）、光起電力デバイスまたはパワーセルなども使用されてもよい。ＷＤ１１１０は、本明細書に記載または示された任意の機能を実行するために電源１１３６からの電力を必要とするＷＤ１１１０の様々な部分に電源１１３６からの電力を供給するための電源回路１１３７をさらに含んでいてもよい。電源回路１１３７は、特定の実施形態では、電源管理回路を構成してもよい。電源回路１１３７は、追加的に、または代替的に、外部電源から電力を受信するために動作可能であってもよく、その場合、ＷＤ１１１０は、入力回路または電力ケーブルなどのインタフェースを介して、外部電源（例えば、電気コンセント）に接続可能であってもよい。電源回路１１３７はまた、特定の実施形態では、外部電源から電源１１３６に電力を供給するために動作可能であってもよい。これは、例えば、電源１１３６の充電のためであってもよい。電力回路１１３７は、電力が供給されるＷＤ１１１０の各構成要素に適合するように、電源１１３６からの電力に対して任意のフォーマット、変換、または他の変更を実行してもよい。
【０１５７】
図１２は、本明細書に記載される様々な側面に従って、ＵＥの一実施形態を示す。本明細書で使用されるように、ユーザ装置またはＵＥは、必ずしも、当該装置を所有し、および／または操作する人間のユーザの意味でのユーザを有するとは限らない。代わりに、ＵＥは、人間のユーザへの販売、または人間のユーザによる操作を意図しているが、特定の人間のユーザに関連していないかもしれない、または最初は関連していないかもしれない装置（例えば、スマートスプリンクラーコントローラ）を表してもよい。あるいは、ＵＥは、エンドユーザへの販売またはエンドユーザによる操作を意図していないが、ユーザの利益のために関連付けられているかまたは操作されている可能性があるデバイス（例えば、スマート電力メータ）を表してもよい。ＵＥ１２００は、ＮＢ−ＩｏＴ＿ＵＥ、マシンタイプ通信（ＭＴＣ）ＵＥ、および／または強化型ＭＴＣ（ｅＭＴＣ）ＵＥを含む、第３世代パートナーシッププロジェクト（３ＧＰＰ）によって特定された任意のＵＥであってもよい。図１２に示されるように、ＵＥ１２００は、３ＧＰＰのＧＳＭ、ＵＭＴＳ、ＬＴＥ、および／または５Ｇ規格などの第３世代パートナーシッププロジェクト（３ＧＰＰ）によって公布された１つ以上の通信規格に従って通信するように構成されたＷＤの一例である。前述したように、ＷＤおよびＵＥという用語は、交換可能に使用されてもよい。したがって、図１２はＵＥであるが、本明細書で論じた構成要素はＷＤにも同様に適用可能であり、またその逆も同様である。
【０１５８】
図１２において、ＵＥ１２００は、入出力インタフェース１２０５、無線周波数（ＲＦ）インタフェース１２０９、ネットワーク接続インタフェース１２１１、ランダムアクセスメモリ（ＲＡＭ）１２１７、リードオンリーメモリ（ＲＯＭ）１２１９を含むメモリ１２１５、および記憶媒体１２２１など、通信サブシステム１２３１、電源１２３３、および／または任意の他の構成要素、またはそれらの任意の組み合わせに作動的に結合された処理回路１２０１を含む。記憶媒体１２２１は、オペレーティングシステム１２２３、アプリケーションプログラム１２２５、およびデータ１２２７を含む。他の実施形態では、記憶媒体１２２１は、他の同様のタイプの情報を含んでもよい。特定のＵＥは、図１２に示す構成要素のすべてを利用してもよいし、構成要素のサブセットのみを利用してもよい。構成要素間の統合のレベルは、あるＵＥから別のＵＥへと変化してもよい。さらに、特定のＵＥは、複数のプロセッサ、メモリ、送受信機、送信機、受信機などの構成要素の複数のインスタンスを含んでもよい。
【０１５９】
図１２において、処理回路１２０１は、コンピュータ命令およびデータを処理するように構成されてもよい。処理回路１２０１は、メモリ内の機械可読コンピュータプログラムとして格納された機械命令を実行するために作動する任意のシーケンシャルステートマシンを実装するように構成されてもよい、例えば、１つ以上のハードウェア実装ステートマシン（例えば、ディスクリートロジック、ＦＰＧＡ、ＡＳＩＣなど）、適切なファームウェアとともにあるプログラマブルロジック、１つ以上の格納されたプログラム、適切なソフトウェアとともにあるマイクロプロセッサまたはデジタルシグナルプロセッサ（ＤＳＰ）などの汎用プロセッサ、または上記の任意の組み合わせを実装するように構成されてもよい。例えば、処理回路１２０１は、２つの中央処理装置（ＣＰＵ）を含んでもよい。データは、コンピュータによる使用に適した形態の情報であってもよい。
【０１６０】
描かれた実施形態では、入力／出力インタフェース１２０５は、入力装置、出力装置、または入出力装置に通信インタフェースを提供するように構成されてもよい。ＵＥ１２００は、入出力インタフェース１２０５を介して出力デバイスを使用するように構成されてもよい。出力デバイスは、入力デバイスと同じタイプのインタフェースポートを使用してもよい。例えば、ＵＳＢポートを使用して、ＵＥ１２００との間で入出力を行うように構成されてもよい。出力デバイスは、スピーカ、サウンドカード、ビデオカード、ディスプレイ、モニタ、プリンタ、アクチュエータ、エミッタ、スマートカード、別の出力デバイス、またはそれらの任意の組み合わせであってもよい。ＵＥ１２００は、ユーザがＵＥ１２００に情報を取り込むことを可能にするために、入出力インタフェース１２０５を介して入力デバイスを使用するように構成されてもよい。入力デバイスは、タッチセンシティブまたはプレゼンスセンシティブディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含んでもよい。プレゼンスセンシティブディスプレイは、ユーザからの入力を感知するための容量性または抵抗性のタッチセンサを含んでもよい。センサは、例えば、加速度センサ、ジャイロスコープ、傾斜センサ、力センサ、地磁気センサ、光学センサ、近接センサ、別の類似センサ、またはそれらの任意の組み合わせであってもよい。例えば、入力デバイスは、加速度センサ、地磁気センサ、デジタルカメラ、マイク、および光学センサであってもよい。
【０１６１】
図１２において、ＲＦインタフェース１２０９は、送信機、受信機、アンテナなどのＲＦ構成要素に通信インタフェースを提供するように構成されてもよい。ネットワーク接続インタフェース１２１１は、ネットワーク１２４３ａに通信インタフェースを提供するように構成されてもよい。ネットワーク１２４３ａは、ローカルエリアネットワーク（ＬＡＮ）、広域ネットワーク（ＷＡＮ）、コンピュータネットワーク、無線ネットワーク、通信ネットワーク、別の類似ネットワーク、またはそれらの任意の組み合わせなどの有線および／または無線ネットワークを包含してもよい。例えば、ネットワーク１２４３ａは、Ｗｉ−Ｆｉネットワークを構成してもよい。ネットワーク接続インタフェース１２１１は、イーサネット、ＴＣＰ／ＩＰ、ＳＯＮＥＴ、ＡＴＭなどの１つ以上の通信プロトコルに従って、通信ネットワークを介して１つ以上の他の装置と通信するために使用される受信機および送信機インタフェースを含むように構成されてもよい。ネットワーク接続インタフェース１２１１は、通信ネットワークリンク（例えば、光、電気、およびそのようなもの）に適した受信機および送信機機能を実装してもよい。送信機機能および受信機機能は、回路部品、ソフトウェアまたはファームウェアを共有してもよく、または代替的に別々に実装されてもよい。
【０１６２】
ＲＡＭ１２１７は、オペレーティングシステム、アプリケーションプログラム、デバイスドライバなどのソフトウェアプログラムの実行中にデータまたはコンピュータ命令のストレージまたはキャッシングを提供するために、バス１２０２を介して処理回路１２０１にインタフェースするように構成されていてもよい。ＲＯＭ１２１９は、コンピュータ命令またはデータを処理回路１２０１に提供するように構成されていてもよい。例えば、ＲＯＭ１２１９は、不揮発性メモリに記憶されている基本的な入出力（Ｉ／Ｏ）、起動、またはキーボードからのキーストロークの受信などの基本的なシステム機能のための不変の低レベルのシステムコードまたはデータを記憶するように構成されていてもよい。記憶媒体１２２１は、ＲＡＭ、ＲＯＭ、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、磁気ディスク、光ディスク、フロッピーディスク、ハードディスク、リムーバブルカートリッジ、またはフラッシュドライブなどのメモリを含むように構成されてもよい。一例では、記憶媒体１２２１は、オペレーティングシステム１２２３、Ｗｅｂブラウザアプリケーション、ウィジェットまたはガジェットエンジンまたは別のアプリケーションなどのアプリケーションプログラム１２２５、およびデータファイル１２２７を含むように構成されてもよい。記憶媒体１２２１は、ＵＥ１２００が使用するために、様々なオペレーティングシステムまたはオペレーティングシステムの組み合わせのうちの任意のものを記憶してもよい。
【０１６３】
記憶媒体１２２１は、独立ディスクの冗長アレイ（ＲＡＩＤ）、フロッピーディスクドライブ、フラッシュメモリ、ＵＳＢフラッシュドライブ、外付けハードディスクドライブ、サムドライブ、ペンドライブ、キードライブ、高密度デジタル多目的ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外付けミニデュアルインラインメモリモジュール（ＤＩＭＭ）、同期ダイナミックランダムアクセスメモリ（ＳＤＲＡＭ）、外付けマイクロＤＩＭＭ＿ＳＤＲＡＭ、加入者ＩＤモジュールまたはリムーバブルユーザＩＤ（ＳＩＭ／ＲＵＩＭ）モジュールなどのスマートカードメモリ、他のメモリなどの多数の物理ドライブユニット、またはそれらの任意の組み合わせを含むように構成されていてもよい。記憶媒体１２２１は、ＵＥ１２００が、一時的または非一時的記憶媒体に記憶されたコンピュータ実行可能な命令、アプリケーションプログラムまたはそのようなものにアクセスして、データをオフロードすること、またはデータをアップロードすることを可能にしてもよい。通信システムを利用するものなどの製造品は、記憶媒体１２２１に当接可能に具現化されてもよく、これはデバイス可読媒体を構成してもよい。
【０１６４】
図１２において、処理回路１２０１は、通信サブシステム１２３１を用いてネットワーク１２４３ｂと通信するように構成されてもよい。ネットワーク１２４３ａおよびネットワーク１２４３ｂは、同じネットワークまたはネットワークであってもよいし、異なるネットワークまたはネットワークであってもよい。通信サブシステム１２３１は、ネットワーク１２４３ｂと通信するために使用される１つまたは複数の送受信機を含むように構成されてもよい。例えば、通信サブシステム１２３１は、ＩＥＥＥ８０２．１２、ＣＤＭＡ、ＷＣＤＭＡ、ＧＳＭ、ＬＴＥ、ＵＴＲＡＮ、ＷｉＭａｘなどの１つ以上の通信プロトコルに従って、別のＷＤ、ＵＥ、または無線アクセスネットワーク（ＲＡＮ）の基地局などの無線通信が可能な別のデバイスの１つ以上のリモート送受信機と通信するために使用される１つ以上の送受信機を含むように構成されてもよい。各送受信機は、送信機１２３３および／または受信機１２３５を含み、それぞれＲＡＮリンクに適した送信機または受信機機能（例えば、周波数割り当てなど）を実装することができる。さらに、各送受信機の送信機１２３３および受信機１２３５は、回路部品、ソフトウェアまたはファームウェアを共有してもよく、または代替的に別々に実装されてもよい。
【０１６５】
図示された実施形態では、通信サブシステム１２３１の通信機能は、データ通信、音声通信、マルチメディア通信、Ｂｌｕｅｔｏｏｔｈなどの近距離通信、近距離通信、全地球測位システム（ＧＰＳ）を使用して位置を決定するなどの位置ベースの通信、別の類似の通信機能、またはそれらの任意の組み合わせを含んでもよい。例えば、通信サブシステム１２３１は、セルラー通信、Ｗｉ−Ｆｉ通信、Ｂｌｕｅｔｏｏｔｈ通信、およびＧＰＳ通信を包含してもよい。ネットワーク１２４３ｂは、ローカルエリアネットワーク（ＬＡＮ）、広域ネットワーク（ＷＡＮ）、コンピュータネットワーク、無線ネットワーク、通信ネットワーク、別の類似ネットワーク、またはそれらの任意の組み合わせなどの有線および／または無線ネットワークを包含してもよい。例えば、ネットワーク１２４３ｂは、セルラーネットワーク、Ｗｉ−Ｆｉネットワーク、および／またはニアフィールドネットワークであってもよい。電源１２１３は、ＵＥ１２００の構成要素に交流（ＡＣ）または直流（ＤＣ）電力を供給するように構成されていてもよい。
【０１６６】
本明細書に記載された特徴、利点、および／または機能は、ＵＥ１２００の構成要素のいずれかに実装されてもよいし、ＵＥ１２００の複数の構成要素にまたがって分割されてもよい。さらに、本明細書に記載された特徴、利点、および／または機能は、ハードウェア、ソフトウェア、またはファームウェアの任意の組み合わせで実装されてもよい。一例では、通信サブシステム１２３１は、本明細書に記載された構成要素のいずれかを含むように構成されてもよい。さらに、処理回路１２０１は、バス１２０２を介してそのような構成要素のいずれかと通信するように構成されてもよい。別の例では、そのような構成要素のいずれかは、処理回路１２０１によって実行されると、本明細書に記載された対応する機能を実行する、メモリに格納されたプログラム命令によって表されてもよい。別の例では、そのような構成要素のいずれかの機能は、処理回路１２０１と通信サブシステム１２３１との間で分割されてもよい。別の例では、そのような構成要素のいずれかの非計算集約的な機能は、ソフトウェアまたはファームウェアで実装されてもよく、計算集約的な機能は、ハードウェアで実装されてもよい。
【０１６７】
図１３は、いくつかの実施形態によって実装された機能が仮想化されてもよい仮想化環境１３００を例示する概略ブロック図である。本明細書では、仮想化とは、ハードウェアプラットフォーム、ストレージデバイス、およびネットワークリソースの仮想化を含むことができる装置またはデバイスの仮想バージョンを作成することを意味する。本明細書で使用されるように、仮想化は、ノード（例えば、仮想化された基地局または仮想化された無線アクセスノード）またはデバイス（例えば、ＵＥ、無線デバイス、または任意の他のタイプの通信デバイス）またはその構成要素に適用することができ、機能の少なくとも一部が１つ以上の仮想構成要素（例えば、１つ以上のネットワーク内の１つ以上の物理的処理ノード上で実行される１つ以上のアプリケーション、構成要素、機能、仮想マシンまたはコンテナを介して）として実装される実施形態に関連する。
【０１６８】
いくつかの実施形態では、本明細書に記載された機能の一部または全部は、ハードウェアノード１３３０のうちの１つまたは複数のハードウェアノード１３３０によってホストされた１つまたは複数の仮想環境１３００に実装された１つまたは複数の仮想マシンによって実行される仮想構成要素として実装されてもよい。さらに、仮想ノードが無線アクセスノードではないか、または無線接続を必要としない実施形態（例えば、コアネットワークノード）では、ネットワークノードは完全に仮想化されてもよい。
【０１６９】
機能は、本明細書に開示されたいくつかの実施形態の特徴、機能、および／または利点のいくつかを実装するために作動する１つ以上のアプリケーション１３２０（これは、代替的に、ソフトウェアインスタンス、仮想アプライアンス、ネットワーク機能、仮想ノード、仮想ネットワーク機能などと呼ばれてもよい）によって実装されてもよい。アプリケーション１３２０は、処理回路１３６０とメモリ１３９０を含むハードウェア１３３０を提供する仮想化環境１３００で実行される。メモリ１３９０は、処理回路１３６０によって実行可能な命令１３９５を含み、それにより、アプリケーション１３２０は、本明細書に開示されている機能、利点、および／または機能の１つ以上を提供するために動作可能である。
【０１７０】
仮想化環境１３００は、１つ以上のプロセッサまたは処理回路１３６０のセットを構成する汎用または特殊目的ネットワークハードウェアデバイス１３３０で構成されており、これは、市販の（ＣＯＴＳ）プロセッサ、特定用途向け集積回路（ＡＳＩＣ）、またはデジタルまたはアナログハードウェア構成要素または特殊目的プロセッサを含む処理回路の任意の他のタイプであってもよい。各ハードウェアデバイスは、命令１３９５または処理回路１３６０によって実行されるソフトウェアを一時的に記憶するための非永続メモリであるメモリ１３９０−１を構成してもよい。各ハードウェアデバイスは、物理ネットワークインタフェース１３８０を含むネットワークインタフェースカードとしても知られる１つ以上のネットワークインタフェースコントローラ（ＮＩＣ）１３７０を含んでもよい。各ハードウェアデバイスはまた、そこに格納されたソフトウェア１３９５および／または処理回路１３６０によって実行可能な命令を有する非一時的、永続性、機械可読記憶媒体１３９０−２を含んでもよい。ソフトウェア１３９５は、１つまたは複数の仮想化レイヤ１３５０（ハイパーバイザとも呼ばれる）をインスタンス化するためのソフトウェア、仮想マシン１３４０を実行するためのソフトウェア、および本明細書に記載されたいくつかの実施形態に関連して記載された機能、特徴および／または利点を実行することを可能にするソフトウェアを含む任意のタイプのソフトウェアを含むことができる。
【０１７１】
仮想マシン１３４０は、仮想処理、仮想メモリ、仮想ネットワークまたはインタフェース、および仮想ストレージからなり、対応する仮想化レイヤ１３５０またはハイパーバイザによって実行されてもよい。仮想アプライアンス１３２０のインスタンスの異なる実施形態は、仮想マシン１３４０の１つ以上に実装されてもよい。
【０１７２】
動作中、処理回路１３６０は、ハイパーバイザまたは仮想化レイヤ１３５０をインスタンス化するためのソフトウェア１３９５を実行し、これは、仮想マシンモニタ（ＶＭＭ）と呼ばれることもある。仮想化レイヤ１３５０は、仮想マシン１３４０にネットワークハードウェアのように見える仮想オペレーティングプラットフォームを提示してもよい。
【０１７３】
図１３に示すように、ハードウェア１３３０は、汎用または特定の構成要素を有するスタンドアロンネットワークノードであってもよい。ハードウェア１３３０は、アンテナ１３２５を構成してもよく、仮想化を介していくつかの機能を実装してもよい。あるいは、ハードウェア１３３０は、多くのハードウェアノードが一緒に動作し、管理およびオーケストレーション（ＭＡＮＯ）１３１００を介して管理され、とりわけアプリケーション１３２０のライフサイクル管理を監督する、ハードウェアのより大きなクラスタ（例えば、データセンターまたは顧客宅内装置（ＣＰＥ）内など）の一部であってもよい。
【０１７４】
ハードウェアの仮想化は、一部の文脈ではネットワーク機能仮想化（ＮＦＶ）と呼ばれている。ＮＦＶは、多くのネットワーク機器の種類を、業界標準の大容量サーバハードウェア、物理スイッチ、および物理ストレージに統合するために使用されてもよく、データセンターに配置することができ、顧客宅内装置に配置することができる。
【０１７５】
ＮＦＶの文脈では、仮想マシン１３４０は、仮想化されていない物理マシン上で実行されているかのようにプログラムを実行する物理マシンのソフトウェア実装であってもよい。仮想マシン１３４０のそれぞれ、およびその仮想マシンを実行するハードウェア１３３０のその部分は、その仮想マシン専用のハードウェアおよび／またはその仮想マシンが仮想マシン１３４０の他の人と共有するハードウェアであってもよく、別個の仮想ネットワーク要素（ＶＮＥ）を形成する。
【０１７６】
ＮＦＶの文脈では、仮想ネットワーク機能（ＶＮＦ）は、ハードウェアネットワークインフラストラクチャ１３３０の上にある１つまたは複数の仮想マシン１３４０で実行される特定のネットワーク機能を処理する責任があり、図１３のアプリケーション１３２０に対応し得る。
【０１７７】
いくつかの実施形態では、それぞれが１つ以上の送信機１３２２０および１つ以上の受信機１３２１０を含む１つ以上の無線ユニット１３２００は、１つ以上のアンテナ１３２２５に結合されてもよい。無線ユニット１３２００は、１つ以上の適切なネットワークインタフェースを介してハードウェアノード１３３０と直接通信してもよく、無線アクセスノードまたは基地局などの無線機能を有する仮想ノードを提供するために、仮想構成要素と組み合わせて使用してもよい。
【０１７８】
いくつかの実施形態では、いくつかのシグナリングは、ハードウェアノード１３３０と無線ユニット１３２００との間の通信に代替的に使用されてもよい制御システム１３２３０の使用によって行われ得る。
【０１７９】
図１４は、いくつかの実施形態による、中間ネットワークを介してホストコンピュータに接続された電気通信ネットワークを示している。特に、図１４を参照して、ある実施形態に従って、通信システムは、無線アクセスネットワークなどのアクセスネットワーク１４１１とコアネットワーク１４１４とを含む３ＧＰＰ型セルラーネットワークなどの通信ネットワーク１４１０を含む。アクセスネットワーク１４１１は、複数の基地局１４１２ａ、１４１２ｂ、１４１２ｃ、例えばＮＢ、ｅＮＢ、ｇＮＢ、または他のタイプの無線アクセスポイントからなり、それぞれが対応するカバレッジエリア１４１３ａ、１４１３ｂ、１４１３ｃを定義する。各基地局１４１２ａ、１４１２ｂ、１４１２ｃは、有線または無線接続１４１５を介してコアネットワーク１４１４に接続可能である。カバレッジエリア１４１３ｃに位置する第１のＵＥ１４９１は、対応する基地局１４１２ｃに無線で接続するか、またはページングされるように構成され得る。カバレッジエリア１４１３ａにある第２のＵＥ１４９２は、対応する基地局１４１２ａに無線で接続可能に構成されている。複数のＵＥ１４９１、１４９２がこの例で図示されているが、開示された実施形態は、単独のＵＥがカバレッジエリア内にある状況、または単独のＵＥが対応する基地局１４１２に接続している状況にも同様に適用可能である。
【０１８０】
通信ネットワーク１４１０は、それ自体がホストコンピュータ１４３０に接続されており、このホストコンピュータ１４３０は、スタンドアロンサーバ、クラウド実装サーバ、分散サーバ、またはサーバファーム内の処理リソースとしてのハードウェアおよび／またはソフトウェアで具現化されてもよい。ホストコンピュータ１４３０は、サービスプロバイダの所有または制御下にあってもよいし、サービスプロバイダによって、またはサービスプロバイダに代わって運営されてもよい。通信ネットワーク１４１０とホストコンピュータ１４３０との間の接続１４２１および１４２２は、コアネットワーク１４１４からホストコンピュータ１４３０に直接延びてもよいし、オプションの中間ネットワーク１４２０を経由してもよい。中間ネットワーク１４２０は、パブリックネットワーク、プライベートネットワーク、またはホストネットワークのうちの１つまたは２つ以上の組み合わせであってもよく、中間ネットワーク１４２０は、もしあれば、バックボーンネットワークまたはインターネットであってもよく、特に、中間ネットワーク１４２０は、２つ以上のサブネットワーク（図示せず）から構成されてもよい。
【０１８１】
図１４の通信システムは、全体として、接続されたＵＥ１４９１、１４９２とホストコンピュータ１４３０との間の接続性を可能にする。この接続性は、オーバーザトップ（ＯＴＴ）接続１４５０として記述されてもよい。ホストコンピュータ１４３０および接続されたＵＥ１４９１、１４９２は、アクセスネットワーク１４１１、コアネットワーク１４１４、任意の中間ネットワーク１４２０、および可能性のある更なるインフラストラクチャ（図示せず）を中間体として使用して、ＯＴＴ接続１４５０を介してデータおよび／またはシグナリングを通信するように構成されている。ＯＴＴ接続１４５０は、ＯＴＴ接続１４５０が通過する参加通信装置がアップリンク通信およびダウンリンク通信のルーティングを知らないという意味で透過的であってもよい。例えば、基地局１４１２は、接続されたＵＥ１４９１に転送（例えば、ハンドオーバー）されることになるホストコンピュータ１４３０から発信されるデータを有する着信ダウンリンク通信の過去のルーティングについて知らされていないかもしれないし、知らされる必要がないかもしれない。同様に、基地局１４１２は、ＵＥ１４９１からホストコンピュータ１４３０に向かって発信するアップリンク通信の将来のルーティングを意識する必要はない。
【０１８２】
前の段落で論じたＵＥ、基地局、およびホストコンピュータの、一実施形態に従った例示的な実施形態が、次に、図１５を参照して説明される。図１５は、いくつかの実施形態による、部分的に無線接続を介して基地局を介してユーザ装置と通信するホストコンピュータを示す。通信システム１５００では、ホストコンピュータ１５１０は、通信システム１５００の別の通信装置のインタフェースとの有線または無線接続を設定し、維持するように構成された通信インタフェース１５１６を含むハードウェア１５１５で構成されている。ホストコンピュータ１５１０は、さらに、ストレージおよび／または処理能力を有していてもよい処理回路１５１８を構成する。特に、処理回路１５１８は、命令を実行するように適合された１つ以上のプログラマブルプロセッサ、特定用途向け集積回路、フィールドプログラマブルゲートアレイ、またはこれらの組み合わせ（図示せず）で構成されていてもよい。ホストコンピュータ１５１０は、さらに、ホストコンピュータ１５１０に格納されているか、またはホストコンピュータ１５１０によってアクセス可能であり、処理回路１５１８によって実行可能なソフトウェア１５１１を構成する。ソフトウェア１５１１は、ホストアプリケーション１５１２を含む。ホストアプリケーション１５１２は、ＵＥ１５３０とホストコンピュータ１５１０で終端するＯＴＴ接続１５５０を介して接続するＵＥ１５３０などのリモートユーザにサービスを提供するために動作可能であってもよい。リモートユーザにサービスを提供する際に、ホストアプリケーション１５１２は、ＯＴＴ接続１５５０を使用して送信されるユーザデータを提供してもよい。
【０１８３】
通信システム１５００は、さらに、通信システムに提供される基地局１５２０を含み、ホストコンピュータ１５１０と、ＵＥ１５３０と通信することを可能にするハードウェア１５２５を構成する。ハードウェア１５２５は、通信システム１５００の別の通信装置のインタフェースとの有線または無線接続を設定して維持するための通信インタフェース１５２６と、基地局１５２０によって提供されるカバレッジエリア（図示せず）内に位置するＵＥ１５３０との少なくとも無線接続１５７０を設定して維持するための無線インタフェース１５２７とを含んでもよい。通信インタフェース１５２６は、ホストコンピュータ１５１０との接続１５６０を容易にするように構成されてもよい。接続１５６０は、直接であってもよいし、電気通信システムのコアネットワーク（図示せず）を通過してもよく、および／または電気通信システムの外部の１つ以上の中間ネットワークを通過してもよい。示された実施形態では、基地局１５２０のハードウェア１５２５は、処理回路１５２８をさらに含み、これは、１つ以上のプログラマブルプロセッサ、特定用途向け集積回路、フィールドプログラマブルゲートアレイ、または命令を実行するように適合されたこれらの組み合わせ（図示せず）から構成されていてもよい。基地局１５２０はさらに、内部的に格納されたソフトウェア１５２１、または外部接続を介してアクセス可能なソフトウェア１５２１を有する。
【０１８４】
通信システム１５００はさらに、すでに参照されているＵＥ１５３０を含む。そのハードウェア１５３５は、ＵＥ１５３０が現在位置しているカバレッジエリアにサービスを提供する基地局との無線接続１５７０を設定し、維持するように構成された無線インタフェース１５３７を含んでもよい。ＵＥ１５３０のハードウェア１５３５は、さらに、命令を実行するように適合された１つ以上のプログラマブルプロセッサ、特定用途向け集積回路、フィールドプログラマブルゲートアレイ、またはこれらの組み合わせ（図示せず）から構成されてもよい処理回路１５３８を含む。ＵＥ１５３０はさらに、ソフトウェア１５３１を含み、このソフトウェア１５３１は、ＵＥ１５３０内に記憶されているか、またはＵＥ１５３０によってアクセス可能であり、処理回路１５３８によって実行可能である。ソフトウェア１５３１は、クライアントアプリケーション１５３２を含む。クライアントアプリケーション１５３２は、ホストコンピュータ１５１０の支援を受けて、ＵＥ１５３０を介して人間または非人間のユーザにサービスを提供するために動作可能であってもよい。ホストコンピュータ１５１０において、実行中のホストアプリケーション１５１２は、ＵＥ１５３０およびホストコンピュータ１５１０で終端するＯＴＴ接続１５５０を介して、実行中のクライアントアプリケーション１５３２と通信してもよい。ユーザにサービスを提供する際に、クライアントアプリケーション１５３２は、ホストアプリケーション１５１２から要求データを受信し、要求データに応答してユーザデータを提供してもよい。ＯＴＴ接続１５５０は、要求データとユーザデータの両方を転送してもよい。クライアントアプリケーション１５３２は、提供するユーザデータを生成するためにユーザと対話してもよい。
【０１８５】
図１５に図示されたホストコンピュータ１５１０、基地局１５２０およびＵＥ１５３０は、ホストコンピュータ１４３０、基地局１４１２ａ、１４１２ｂ、１４１２ｃのうちの１つ、および図１４のＵＥ１４９１、１４９２のうちの１つとそれぞれ類似または同一であってもよいことに留意されたい。すなわち、これらのエンティティの内部動作は、図１５に示すようなものであってもよく、独立して、周囲のネットワークトポロジーは、図１４のものであってもよい。
【０１８６】
図１５において、ＯＴＴ接続１５５０は、ホストコンピュータ１５１０とベースステーション１５２０を介したＵＥ１５３０との間の通信を、いかなる中間装置およびこれらの装置を介したメッセージの正確なルーティングについても明示的に参照することなく、抽象的に描かれている。ネットワークインフラストラクチャは、ルーティングを決定してもよく、それは、ＵＥ１５３０から、またはホストコンピュータ１５１０を動作するサービスプロバイダから、またはその両方から非表示にするように構成されてもよい。ＯＴＴ接続１５５０がアクティブである間、ネットワークインフラストラクチャは、（例えば、負荷分散の考慮またはネットワークの再構成に基づいて）ルーティングを動的に変更する決定をさらに行ってもよい。
【０１８７】
ＵＥの１５３０と基地局の１５２０との間の無線接続１５７０は、本開示全体に記載された実施形態の教示に従っている。様々な実施形態のうちの１つ以上は、無線接続１５７０が最後のセグメントを形成するＯＴＴ接続１５５０を使用してＵＥ１５３０に提供されるＯＴＴサービスのパフォーマンスを向上させる。より正確には、これらの実施形態の教示は、待機時間および／または無線デバイスの電力消費を改善し、それによって、無線デバイスのユーザ待機時間の短縮、応答性の向上、および／またはバッテリ寿命の延長などの利点を提供し得る。 
【０１８８】
測定手順は、データレート、待ち時間、および１つまたは複数の実施形態が改善するその他の因子を監視する目的で提供されてもよい。測定結果の変動に応答して、ホストコンピュータ１５１０とＵＥ１５３０との間のＯＴＴ接続１５５０を再構成するためのオプションのネットワーク機能がさらに設けられていてもよい。測定手順および／またはＯＴＴ接続１５５０を再構成するためのネットワーク機能は、ホストコンピュータ１５１０のソフトウェア１５１１およびハードウェア１５１５に実装されてもよいし、ＵＥ１５３０のソフトウェア１５３１およびハードウェア１５３５に実装されてもよいし、またはその両方に実装されてもよい。実施形態では、センサ（図示せず）は、ＯＴＴ接続１５５０が通過する通信デバイスに配置されてもよいし、通信デバイスと関連して配置されてもよく、センサは、上述の例示された監視量の値を供給することによって測定手順に参加してもよいし、ソフトウェア１５１１、１５３１が監視量を計算または推定することができる他の物理量の値を供給することによって測定手順に参加してもよい。ＯＴＴ接続１５５０の再構成は、メッセージフォーマット、再送設定、好ましいルーティングなどを含んでもよく、再構成は基地局１５２０に影響を与える必要はなく、基地局１５２０には知られていないか、または感知できないものであってもよい。そのような手順および機能性は、当技術分野で知られており、実践されているかもしれない。特定の実施形態では、測定は、スループット、伝搬時間、遅延などのホストコンピュータ１５１０の測定を容易にする独自のＵＥシグナリングを含んでもよい。測定は、ソフトウェア１５１１および１５３１が、伝搬時間、エラーなどを監視しながら、ＯＴＴ接続１５５０を使用して、メッセージ、特に空のメッセージまたは「ダミー」メッセージを送信させるように実装されてもよい。
【０１８９】
図１６は、一実施形態に従った通信システムに実装された方法を示すフローチャートである。通信システムは、ホストコンピュータ、基地局、および、図１４および図１５を参照して説明したものであってもよいＵＥを含む。本開示を簡単にするために、図１６を参照する図面のみが本項に含まれる。ステップ１６１０では、ホストコンピュータは、ユーザデータを提供する。ステップ１６１０のサブステップ１６１１（これはオプションであってもよい）では、ホストコンピュータは、ホストアプリケーションを実行することにより、ユーザデータを提供する。ステップ１６２０では、ホストコンピュータは、ＵＥにユーザデータを運ぶ伝送を開始する。ステップ１６３０（これはオプションであってもよい）では、基地局は、本開示全体に記載された実施形態の教示に従って、ホストコンピュータが開始した伝送で運ばれたユーザデータをＵＥに送信する。ステップ１６４０（これもオプションであってもよい）では、ＵＥは、ホストコンピュータによって実行されたホストアプリケーションに関連付けられたクライアントアプリケーションを実行する。
【０１９０】
図１７は、一実施形態に従った通信システムに実装された方法を示すフローチャートである。通信システムは、ホストコンピュータ、基地局、および図１４および図１５を参照して説明したものであってもよいＵＥを含む。本開示を簡単にするために、図１７を参照した図面のみが本項に含まれる。方法のステップ１７１０では、ホストコンピュータは、ユーザデータを提供する。任意のサブステップ（図示せず）では、ホストコンピュータは、ホストアプリケーションを実行することにより、ユーザデータを提供する。ステップ１７２０では、ホストコンピュータは、ＵＥにユーザデータを運ぶ伝送を開始する。伝送は、本開示全体に記載された実施形態の教示に従って、基地局を経由してもよい。ステップ１７３０（これはオプションであってもよい）では、ＵＥは、送信で運ばれたユーザデータを受信する。
【０１９１】
図１８は、一実施形態に従った通信システムに実装された方法を示すフローチャートである。通信システムは、ホストコンピュータ、基地局、および図１４および図１５を参照して説明したものであってもよいＵＥを含む。本開示を簡単にするために、図１８を参照した図面のみが本項に含まれる。ステップ１８１０（これはオプションであってもよい）において、ＵＥは、ホストコンピュータによって提供される入力データを受信する。さらに、または代替的に、ステップ１８２０において、ＵＥは、ユーザデータを提供する。ステップ１８２０のサブステップ１８２１（これはオプションであってもよい）では、ＵＥは、クライアントアプリケーションを実行することにより、ユーザデータを提供する。ステップ１８１０のサブステップ１８１１（これはオプションであってもよい）では、ＵＥは、ホストコンピュータによって提供された受信入力データに反応してユーザデータを提供するクライアントアプリケーションを実行する。ユーザデータを提供する際に、実行されるクライアントアプリケーションは、ユーザから受信したユーザ入力をさらに考慮してもよい。ユーザデータが提供された特定の方法にかかわらず、ＵＥは、サブステップ１８３０（これはオプションであってもよい）において、ホストコンピュータへのユーザデータの送信を開始する。方法のステップ１８４０において、ホストコンピュータは、本開示全体に記載された実施形態の教示に従って、ＵＥから送信されたユーザデータを受信する。
【０１９２】
図１９は、一実施形態に従って、通信システムに実装された方法を示すフローチャートである。通信システムは、ホストコンピュータ、基地局、および図１４および図１５を参照して説明したものであってもよいＵＥを含む。本開示を簡単にするために、図１９を参照した図面のみが本項に含まれる。ステップ１９１０（これはオプションであってもよい）では、本開示全体に記載された実施形態の教示に従って、基地局はＵＥからユーザデータを受信する。ステップ１９２０（これはオプションであってもよい）では、基地局は、受信したユーザデータのホストコンピュータへの送信を開始する。ステップ１９３０（これはオプションであってもよい）では、ホストコンピュータは、基地局によって開始された送信で運ばれたユーザデータを受信する。
【０１９３】
本明細書に開示される任意の適切なステップ、方法、特徴、機能、または利点は、１つまたは複数の仮想装置の１つまたは複数の機能ユニットまたはモジュールを介して実行されてもよい。各仮想装置は、これらの機能ユニットの数を含んでいてもよい。これらの機能ユニットは、１つ以上のマイクロプロセッサまたはマイクロコントローラ、およびデジタル信号プロセッサ（ＤＳＰ）、特殊目的デジタルロジックなどを含む他のデジタルハードウェアを含んでもよい処理回路を介して実装されてもよい。処理回路は、メモリに記憶されたプログラムコードを実行するように構成されていてもよく、これは、リードオンリーメモリ（ＲＯＭ）、ランダムアクセスメモリ（ＲＡＭ）、キャッシュメモリ、フラッシュメモリ装置、光記憶装置などの１つまたは複数のタイプのメモリを含んでいてもよい。メモリに記憶されたプログラムコードは、本明細書に記載された技術のうちの１つ以上の技術を実行するための命令と同様に、１つ以上の電気通信プロトコルおよび／またはデータ通信プロトコルを実行するためのプログラム命令を含む。いくつかの実施形態では、処理回路は、本開示の１つ以上の実施形態に従って、それぞれの機能ユニットに対応する機能を実行させるために使用されてもよい。
【０１９４】
一般的に、本明細書で使用されるすべての用語は、異なる意味が明確に与えられている場合および／またはそれが使用される文脈から暗示されている場合を除き、関連する技術分野における通常の意味に従って解釈されることになるである。１つ（ａ／ａｎ／ｔｈｅ）の要素、装置、構成要素、手段、ステップなどへのすべての言及は、明示的に別段の記載がない限り、要素、装置、構成要素、手段、ステップなどの少なくとも１つのインスタンスを参照していると公然と解釈されることになるである。本明細書に開示された任意の方法のステップは、ステップが他のステップに続くか先行するように明示的に記述されている場合、および／またはステップが他のステップに続くか先行しなければならないことが暗黙的に記述されている場合を除き、開示された正確な順序で実行されなければならないわけではない。本明細書に開示された実施形態のいずれかの特徴は、適切な場合はどこでも、他の実施形態に適用することができる。同様に、本明細書に開示された実施形態のいずれかの利点は、他の実施形態のいずれかに適用されてもよく、またその逆も同様である。封入された実施形態の他の目的、特徴および利点は、本明細書の記載から明らかになるであろう。
【０１９５】
用語ユニットは、エレクトロニクス、電気デバイスおよび／または電子デバイスの分野で従来の意味を有してもよく、例えば、電気および／または電子回路、デバイス、モジュール、プロセッサ、メモリ、論理ソリッドステートおよび／またはディスクリートデバイス、それぞれのタスク、手順、計算、出力、および／または表示機能を実行するためのコンピュータプログラムまたは命令など、本明細書に記載されているようなものを含んでもよい。
【０１９６】
本明細書で企図される実施形態のいくつかは、添付の図面を参照してより詳細に説明される。しかしながら、他の実施形態は、本明細書に開示された主題の範囲内に含まれる。開示された主題は、本明細書に記載された実施形態のみに限定されると解釈されることになるではなく、むしろ、これらの実施形態は、当業者に主題の範囲を伝えるために例示の形で提供されている。
【図１】
2021534605.tif 000003
【図２】
2021534605.tif 000004
【図３】
2021534605.tif 000005
【図４】
2021534605.tif 000006
【図５】
2021534605.tif 000007
【図６】
2021534605.tif 000008
【図７】
2021534605.tif 000009
【図８Ａ】
2021534605.tif 000010
【図８Ｂ】
2021534605.tif 000011
【図８Ｃ】
2021534605.tif 000012
【図９Ａ】
2021534605.tif 000013
【図９Ｂ】
2021534605.tif 000014
【図９Ｃ】
2021534605.tif 000015
【図１０】
2021534605.tif 000016
【図１１】
2021534605.tif 000017
【図１２】
2021534605.tif 000018
【図１３】
2021534605.tif 000019
【図１４】
2021534605.tif 000020
【図１５】
2021534605.tif 000021
【図１６】
2021534605.tif 000022
【図１７】
2021534605.tif 000023
【図１８】
2021534605.tif 000024
【図１９】
2021534605.tif 000025
【国際調査報告】
2021534605.tif 000026
2021534605.tif 000027